(57)【特許請求の範囲】
【請求項１】
通信デバイスが、ネットワークデバイスからインジケーション情報を受信する段階であって、前記インジケーション情報は、第１のオフセット値及び絶対無線周波数チャネル番号についての情報を含み、前記第１のオフセット値は、第２のサブキャリアマッピング方式に対応するサブキャリアに対する、第１のサブキャリアマッピング方式に対応するサブキャリアの周波数オフセットであり、前記第１のオフセット値は７．５ＫＨｚを含む、段階と、
前記通信デバイスが、前記絶対無線周波数チャネル番号に基づきキャリアの第２の周波数を得る段階であり、前記絶対無線周波数チャネル番号と前記第２の周波数との間の関係は、式ＦＵＬ＝ＦＵＬ＿ｌｏｗ＋Ｙ＊（ＮＵＬ−ＮＯｆｆｓ−ＵＬ）により与えられ、ＦＵＬはアップリンクキャリア周波数である前記第２の周波数であり、ＮＵＬは前記絶対無線周波数チャネル番号であり、ＦＵＬ＿ｌｏｗはＮＲ周波数範囲内の最低周波数値であり、ＮＯｆｆｓ−ＵＬは前記ＮＲ周波数範囲内のオフセット値であり、Ｙは０より大きい値である、段階と、
前記通信デバイスが、前記第１のオフセット値の分の前記第２の周波数のシフトにより前記キャリアの第１の周波数を得る段階であり、前記第１の周波数は、キャリアアグリゲーションによるセカンダリコンポーネントキャリアの周波数であり、前記第２の周波数は、前記キャリアの元のキャリア中心周波数である、段階と、
を備える、キャリア情報を受信するための方法。
【請求項２】
ネットワークデバイスが、第１のオフセット値及び絶対無線周波数チャネル番号についての情報を含むインジケーション情報を通信デバイスに送信する段階であって、前記第１のオフセット値は、第２のサブキャリアマッピング方式に対応するサブキャリアに対する、第１のサブキャリアマッピング方式に対応するサブキャリアの周波数オフセットであり、前記第１のオフセット値は７．５ＫＨｚを含み、前記第１のオフセット値は、前記絶対無線周波数チャネル番号によりキャリアの第１の周波数を得るのに前記通信デバイスにより用いられる、段階を備え、
前記第１の周波数は、前記第１のオフセット値の分の前記キャリアの第２の周波数のシフトにより得られ、前記第２の周波数は、前記絶対無線周波数チャネル番号に基づき得られ、
前記絶対無線周波数チャネル番号と前記第２の周波数との間の関係は、式ＦＵＬ＝ＦＵＬ＿ｌｏｗ＋Ｙ＊（ＮＵＬ−ＮＯｆｆｓ−ＵＬ）により与えられ、ＦＵＬはアップリンクキャリア周波数である前記第２の周波数であり、ＮＵＬは前記絶対無線周波数チャネル番号であり、ＦＵＬ＿ｌｏｗはＮＲ周波数範囲内の最低周波数値であり、ＮＯｆｆｓ−ＵＬは前記ＮＲ周波数範囲内のオフセット値であり、Ｙは０より大きい値であり、
前記第１の周波数は、キャリアアグリゲーションによるセカンダリコンポーネントキャリアの周波数であり、前記第２の周波数は、前記キャリアの元のキャリア中心周波数である、
キャリア情報を送信するための方法。
【請求項３】
ネットワークデバイスからインジケーション情報を受信するよう構成された送受信機であって、前記インジケーション情報は第１のオフセット値及び絶対無線周波数チャネル番号についての情報を含み、前記第１のオフセット値は、第２のサブキャリアマッピング方式に対応するサブキャリアに対する、第１のサブキャリアマッピング方式に対応するサブキャリアの周波数オフセットであり、前記第１のオフセット値は７．５ＫＨｚを含む、送受信機と、
前記絶対無線周波数チャネル番号に基づきキャリアの第２の周波数を得、前記第１のオフセット値の分の前記第２の周波数のシフトにより前記キャリアの第１の周波数を得るよう構成されたプロセッサであり、前記絶対無線周波数チャネル番号と前記第２の周波数との間の関係は、式ＦＵＬ＝ＦＵＬ＿ｌｏｗ＋Ｙ＊（ＮＵＬ−ＮＯｆｆｓ−ＵＬ）により与えられ、ＦＵＬはアップリンクキャリア周波数である前記第２の周波数であり、ＮＵＬは前記絶対無線周波数チャネル番号であり、ＦＵＬ＿ｌｏｗはＮＲ周波数範囲内の最低周波数値であり、ＮＯｆｆｓ−ＵＬは前記ＮＲ周波数範囲内のオフセット値であり、Ｙは０より大きい値であり、前記第１の周波数は、キャリアアグリゲーションによるセカンダリコンポーネントキャリアの周波数であり、前記第２の周波数は、前記キャリアの元のキャリア中心周波数である、プロセッサと
を備える、通信デバイス。
【請求項４】
第１のオフセット値及び絶対無線周波数チャネル番号についての情報を含むインジケーション情報を通信デバイスに送信するよう構成された送信モジュールであって、前記第１のオフセット値は、第２のサブキャリアマッピング方式に対応するサブキャリアに対する、第１のサブキャリアマッピング方式に対応するサブキャリアの周波数オフセットであり、前記第１のオフセット値は７．５ＫＨｚを含み、前記第１のオフセット値は、前記絶対無線周波数チャネル番号によりキャリアの第１の周波数を得るのに前記通信デバイスにより用いられる、送信モジュールを備え、
前記第１の周波数は、前記第１のオフセット値の分の前記キャリアの第２の周波数のシフトにより得られ、前記第２の周波数は、前記絶対無線周波数チャネル番号に基づき得られ、
前記絶対無線周波数チャネル番号と前記第２の周波数との間の関係は、式ＦＵＬ＝ＦＵＬ＿ｌｏｗ＋Ｙ＊（ＮＵＬ−ＮＯｆｆｓ−ＵＬ）により与えられ、ＦＵＬはアップリンクキャリア周波数である前記第２の周波数であり、ＮＵＬは前記絶対無線周波数チャネル番号であり、ＦＵＬ＿ｌｏｗはＮＲ周波数範囲内の最低周波数値であり、ＮＯｆｆｓ−ＵＬは前記ＮＲ周波数範囲内のオフセット値であり、Ｙは０より大きい値であり、
前記第１の周波数は、キャリアアグリゲーションによるセカンダリコンポーネントキャリアの周波数であり、前記第２の周波数は、前記キャリアの元のキャリア中心周波数である、
ネットワークデバイス。
【請求項５】
前記キャリアは、前記キャリアの第１の周波数に関して対称である、請求項１または２に記載の方法。
【請求項６】
前記キャリアは前記第１の周波数上のサブキャリアを含む、請求項１または２に記載の方法。
【請求項７】
前記キャリアは前記第２の周波数上にサブキャリアを含まない、請求項１または２に記載の方法。
【請求項８】
前記インジケーション情報はシステムメッセージまたはＲＲＣシグナリングで保持される、請求項１または２に記載の方法。
【請求項９】
命令を備え、
コンピュータで動作する場合、前記命令は前記コンピュータが請求項１または２に記載の方法を実施することを可能とする、プログラム。
【請求項１０】
前記キャリアは、前記キャリアの第１の周波数に関して対称である、請求項３に記載の通信デバイス。
【請求項１１】
前記キャリアは前記第１の周波数上のサブキャリアを含む、請求項３に記載の通信デバイス。
【請求項１２】
前記キャリアは前記第２の周波数上にサブキャリアを含まない、請求項３に記載の通信デバイス。
【請求項１３】
前記インジケーション情報はシステムメッセージまたはＲＲＣシグナリングで保持される、請求項３に記載の通信デバイス。
【請求項１４】
前記キャリアは、前記キャリアの第１の周波数に関して対称である、請求項４に記載のネットワークデバイス。
【請求項１５】
前記キャリアは前記第１の周波数上のサブキャリアを含む、請求項４に記載のネットワークデバイス。
【請求項１６】
前記キャリアは前記第２の周波数上にサブキャリアを含まない、請求項４に記載のネットワークデバイス。
【請求項１７】
前記インジケーション情報はシステムメッセージまたはＲＲＣシグナリングで保持される、請求項４に記載のネットワークデバイス。
【発明の詳細な説明】
【技術分野】
【０００１】
本願の実施形態は通信分野に関し、より具体的には、キャリア情報を送信するための方法、基地局、サブキャリア決定方法、および端末に関する。
【背景技術】
【０００２】
５Ｇなどの次世代通信技術は、低周波数キャリアがより良好なカバレッジをもたらすこと、およびモビリティ要求条件を満たすことを求める。しかしながら、６ＧＨｚより低い既存の周波数帯域は既にロングタームエボリューション（ｌｏｎｇ  ｔｅｒｍ  ｅｖｏｌｕｔｉｏｎ，ＬＴＥ）システムなどの既存の通信システムに割り当てられている。
【０００３】
キャリアは、５Ｇ新無線（ｎｅｗ  ｒａｄｉｏ，ＮＲ）技術では６ＧＨｚより低い周波数帯域上で２つの方式で用いられる。１つの方式は周波数帯域の再分割であり、新たな周波数帯域がＮＲに割り当てられて用いられる。周波数帯域の再分割は、比較的複雑かつ長期的なプロセスである。加えて、ＮＲとＬＴＥとの間で隣接する周波数を展開することの問題も考慮する必要があり、これはＮＲの実際の展開および商用化の時期に影響を与える。他の考えられる方式は、ＮＲとＬＴＥとでキャリアを共有し合う方式である。
【０００４】
ＮＲとＬＴＥとでキャリアを共有し合う方式は、ＮＲのカバレッジを確保し、モビリティ要求条件を確実に満たししつつ、ＮＲの展開および商用化をより早期に実現出来る。しかしながら、ＮＲとＬＴＥとで異なるサブキャリアマッピング方式が用いられる可能性があり、結果として、ＮＲとＬＴＥとでキャリアを共有し合う場合にサブキャリア間干渉が発生する。これはＮＲおよびＬＴＥの性能に大きな影響を与える。
【発明の概要】
【０００５】
本願の実施形態は、異なるサブキャリアマッピング方式が存在する場合に発生し得るサブキャリア間干渉を出来る限り回避すべくキャリア情報を送信するための方法を提供する。
【０００６】
第１の態様によると、本願の実施形態が提供するのは、基地局が、第１のサブキャリアマッピング方式で第１のキャリア上でサブキャリアマッピングを実施する段階であって、第１のサブキャリアマッピング方式に対応するサブキャリアは、第２のサブキャリアマッピング方式に対応するサブキャリアに対する第１のオフセット値の周波数オフセットを有しており、第２のサブキャリアマッピング方式に対応するサブキャリアは、第１のキャリアのキャリア中心周波数に関して対称であり、第１のキャリアのキャリア中心周波数上にサブキャリアを有さない、段階と、基地局が、端末へインジケーション情報を送信する段階であって、インジケーション情報は第１のオフセット値についての情報を保持する、段階とを含む、キャリア情報を送信するための方法である。異なるサブキャリアマッピング方式の併存が引き起こすサブキャリア間干渉を低減出来る、またはなくせるように、同じサブキャリアマッピング方式が第１のキャリアに用いられる。第１のサブキャリアマッピング方式に対応する通信モードと第２のサブキャリアマッピング方式に対応する通信モードとでキャリアを共有し合う場合、基地局側で、異なるサブキャリアマッピング方式の併存が引き起こすサブキャリア間干渉を低減させる、またはなくすべく、基地局は、共有されているキャリア上で第１のサブキャリアマッピング方式でサブキャリアマッピングを実施してよい。例えば、ＮＲとＬＴＥとでキャリアを共有し合う場合、ＬＴＥのサブキャリアマッピング方式でＮＲサブキャリアがマッピングされるように、基地局は共有されているキャリア内でのＮＲサブキャリアのマッピング方式を調整し、これにより、共有されているキャリア内でのＮＲのサブキャリアとＬＴＥのサブキャリアとの間の干渉を回避する。基地局は、端末がＮＲサブキャリアマッピングのための実際の周波数位置を得られるように、端末へインジケーション情報を送信する。このようにして、端末は周波数同期をより正確に実施出来、これにより端末および基地局が決定する異なるサブキャリアマッピング周波数値が引き起こす周波数サンプリング障害の結果として起こる伝送障害を回避出来る。
【０００７】
さらに、インジケーション情報はさらに第１のキャリアの進化型ユニバーサル地上無線アクセス絶対無線周波数チャネル番号ＥＡＲＦＣＮを含む。
【０００８】
インジケーション情報は、送信のためにシステムメッセージまたはＲＲＣシグナリングで保持されてよい。
【０００９】
考えられる設計において、第１のオフセット値についての情報は第１の値または第２の値を含む。第１の値は、第１のオフセット値が０であることを示す。第２の値は、第１のオフセット値が＋７．５ＫＨｚであることを示し、または第２の値は、第１のオフセット値が−７．５ＫＨｚであることを示す。さらに、インジケーション情報はさらに、第２のオフセット値についての情報を保持する。第２のオフセット値についての情報が示す第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。代替的に、第２のオフセット値は、＋（Ｒａｓｔｅｒ２−Ｒａｓｔｅｒ１）、−（Ｒａｓｔｅｒ２−Ｒａｓｔｅｒ１）、＋Ｒａｓｔｅｒ１、または−Ｒａｓｔｅｒ１のうちいずれか１つであり、ここで、Ｒａｓｔｅｒ１は第１のチャンネルラスターの値であり、Ｒａｓｔｅｒ２は第２のチャンネルラスターの値であり、第１のチャンネルラスターは、第１のサブキャリアマッピング方式に対応する通信モードで用いられるチャンネルラスターであり、第２のチャンネルラスターは、第２のサブキャリアマッピング方式に対応する通信モードで用いられるチャンネルラスターである。オプションで、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。
【００１０】
考えられる設計において、第１のオフセット値についての情報が示す第１のオフセット値は以下の式：
Ｘ−ｆｌｏｏｒ（Ｘ／Ｒａｓｔｅｒ＋０．５）＊Ｒａｓｔｅｒ＋７．５ＫＨｚ、
Ｘ−ｆｌｏｏｒ（Ｘ／Ｒａｓｔｅｒ＋０．５）＊Ｒａｓｔｅｒ−７．５ＫＨｚ、
Ｘ−ｆｌｏｏｒ（Ｘ／Ｒａｓｔｅｒ）＊Ｒａｓｔｅｒ＋７．５ＫＨｚ、または
Ｘ−ｆｌｏｏｒ（Ｘ／Ｒａｓｔｅｒ）＊Ｒａｓｔｅｒ−７．５ＫＨｚ
のうちいずれか１つを満たし、
ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。
【００１１】
考えられる設計において、第１のオフセット値についての情報は、第１の値から第１１の値のうちいずれか１つを含む。第１の値は、第１のオフセット値が０であることを示す。第２の値は、第１のオフセット値が＋７．５ＫＨｚであることを示す。第３の値は、第１のオフセット値が−７．５ＫＨｚであることを示す。第４の値は、第１のオフセット値が＋（Ｒａｓｔｅｒ２−Ｒａｓｔｅｒ１）＋７．５ＫＨｚであることを示す。第５の値は、第１のオフセット値が＋（Ｒａｓｔｅｒ２−Ｒａｓｔｅｒ１）−７．５ＫＨｚであることを示す。第６の値は、第１のオフセット値が−（Ｒａｓｔｅｒ２−Ｒａｓｔｅｒ１）＋７．５ＫＨｚであることを示す。第７の値は、第１のオフセット値が−（Ｒａｓｔｅｒ２−Ｒａｓｔｅｒ１）−７．５ＫＨｚであることを示す。第８の値は、第１のオフセット値が＋Ｒａｓｔｅｒ１＋７．５ＫＨｚであることを示す。第９の値は、第１のオフセット値が＋Ｒａｓｔｅｒ１−７．５ＫＨｚであることを示す。第１０の値は、第１のオフセット値が−Ｒａｓｔｅｒ１＋７．５ＫＨｚであることを示す。第１１の値は、第１のオフセット値が−Ｒａｓｔｅｒ１−７．５ＫＨｚであることを示す。
【００１２】
考えられる設計において、第１のキャリアは、第１の通信モードと第２の通信モードとが共有し合うダウンリンクキャリアである。第１の通信モードに対応するサブキャリアマッピング方式は第１のサブキャリアマッピング方式であり、第２の通信モードに対応するサブキャリアマッピング方式は第２のサブキャリアマッピング方式である。
【００１３】
第２態様によると、本願の実施形態が提供するのは、端末が、基地局からインジケーション情報を受信する段階であって、インジケーション情報は第１のオフセット値についての情報を保持し、第１のオフセット値は、第２のサブキャリアマッピング方式に対応するサブキャリアに対する、第１のサブキャリアマッピング方式に対応するサブキャリアの周波数オフセットであり、第２のサブキャリアマッピング方式に対応するサブキャリアは、第１のキャリアのキャリア中心周波数に関して対称であり、第１のキャリアのキャリア中心周波数上にサブキャリアを有さない、段階と、端末が、インジケーション情報と、第２のサブキャリアマッピング方式と、第１のキャリアのキャリア中心周波数とに基づき第１のキャリアの１または複数のサブキャリアの周波数位置を決定する段階とを含むサブキャリア決定方法である。端末は、インジケーション情報を受信することにより、第２のサブキャリアマッピング方式に対応するサブキャリアをマッピングするために実際の周波数位置を得てよい。このようにして、端末は周波数同期をより正確に実施出来、これにより端末および基地局が決定する異なるサブキャリアマッピング周波数値が引き起こす周波数サンプリング障害の結果として起こる伝送障害を回避出来る。第１のサブキャリアマッピング方式はＬＴＥのサブキャリアマッピング方式であり、第２のサブキャリアマッピング方式はＮＲのサブキャリアマッピング方式である。
【００１４】
さらに、インジケーション情報はさらに第１のキャリアの進化型ユニバーサル地上無線アクセス絶対無線周波数チャネル番号ＥＡＲＦＣＮを含み、端末は、ＥＡＲＦＣＮに基づき第１のキャリアのキャリア中心周波数を得てよい。
【００１５】
端末は、システムメッセージまたはＲＲＣシグナリングを受信することによりインジケーション情報を得てよい。
【００１６】
考えられる設計において、第１のオフセット値についての情報は第１の値または第２の値を含む。第１の値は、第１のオフセット値が０であることを示す。第２の値は、第１のオフセット値が＋７．５ＫＨｚであることを示し、または第２の値は、第１のオフセット値が−７．５ＫＨｚであることを示す。さらに、インジケーション情報はさらに、第２のオフセット値についての情報を保持する。第２のオフセット値についての情報が示す第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。代替的に、第２のオフセット値は、＋（Ｒａｓｔｅｒ２−Ｒａｓｔｅｒ１）、−（Ｒａｓｔｅｒ２−Ｒａｓｔｅｒ１）、＋Ｒａｓｔｅｒ１、または−Ｒａｓｔｅｒ１のうちいずれか１つであり、ここで、Ｒａｓｔｅｒ１は第１のチャンネルラスターの値であり、Ｒａｓｔｅｒ２は第２のチャンネルラスターの値であり、第１のチャンネルラスターは、第１のサブキャリアマッピング方式に対応する通信モードで用いられるチャンネルラスターであり、第２のチャンネルラスターは、第２のサブキャリアマッピング方式に対応する通信モードで用いられるチャンネルラスターである。オプションで、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。
【００１７】
考えられる設計において、端末は、第２のオフセット値および第１の周波数に基づき第１のキャリアのキャリア中心周波数を得る。キャリア中心周波数は第１の周波数と第２のオフセット値との合計であり、第１の周波数は、ＥＡＲＦＣＮに基づき端末が得る。
【００１８】
考えられる設計において、第１のオフセット値についての情報が示す第１のオフセット値は以下の式：
Ｘ−ｆｌｏｏｒ（Ｘ／Ｒａｓｔｅｒ＋０．５）＊Ｒａｓｔｅｒ＋７．５ＫＨｚ、
Ｘ−ｆｌｏｏｒ（Ｘ／Ｒａｓｔｅｒ＋０．５）＊Ｒａｓｔｅｒ−７．５ＫＨｚ、
Ｘ−ｆｌｏｏｒ（Ｘ／Ｒａｓｔｅｒ）＊Ｒａｓｔｅｒ＋７．５ＫＨｚ、または
Ｘ−ｆｌｏｏｒ（Ｘ／Ｒａｓｔｅｒ）＊Ｒａｓｔｅｒ−７．５ＫＨｚ
のうちいずれか１つを満たし、
ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。
【００１９】
考えられる設計において、第１のオフセット値についての情報は、第１の値から第１１の値のうちいずれか１つを含む。第１の値は、第１のオフセット値が０であることを示す。第２の値は、第１のオフセット値が＋７．５ＫＨｚであることを示す。第３の値は、第１のオフセット値が−７．５ＫＨｚであることを示す。第４の値は、第１のオフセット値が＋（Ｒａｓｔｅｒ２−Ｒａｓｔｅｒ１）＋７．５ＫＨｚであることを示す。第５の値は、第１のオフセット値が＋（Ｒａｓｔｅｒ２−Ｒａｓｔｅｒ１）−７．５ＫＨｚであることを示す。第６の値は、第１のオフセット値が−（Ｒａｓｔｅｒ２−Ｒａｓｔｅｒ１）＋７．５ＫＨｚであることを示す。第７の値は、第１のオフセット値が−（Ｒａｓｔｅｒ２−Ｒａｓｔｅｒ１）−７．５ＫＨｚであることを示す。第８の値は、第１のオフセット値が＋Ｒａｓｔｅｒ１＋７．５ＫＨｚであることを示す。第９の値は、第１のオフセット値が＋Ｒａｓｔｅｒ１−７．５ＫＨｚであることを示す。第１０の値は、第１のオフセット値が−Ｒａｓｔｅｒ１＋７．５ＫＨｚであることを示す。第１１の値は、第１のオフセット値が−Ｒａｓｔｅｒ１−７．５ＫＨｚであることを示す。
【００２０】
考えられる設計において、第１のキャリアは、第１の通信モードと第２の通信モードとが共有し合うダウンリンクキャリアである。第１の通信モードに対応するサブキャリアマッピング方式は第１のサブキャリアマッピング方式であり、第２の通信モードに対応するサブキャリアマッピング方式は第２のサブキャリアマッピング方式である。
【００２１】
第３態様によると、本願の実施形態が提供するのは、第１のサブキャリアマッピング方式で第１のキャリア上でサブキャリアマッピングを実施するよう構成されたプロセッサであって、第１のサブキャリアマッピング方式に対応するサブキャリアは、第２のサブキャリアマッピング方式に対応するサブキャリアに対する第１のオフセット値の周波数オフセットを有しており、第２のサブキャリアマッピング方式に対応するサブキャリアは、第１のキャリアのキャリア中心周波数に関して対称であり、第１のキャリアのキャリア中心周波数上にサブキャリアを有さない、プロセッサと、端末へインジケーション情報を送信するよう構成された送受信機であって、インジケーション情報は第１のオフセット値についての情報を保持する、送受信機とを含む基地局である。異なるサブキャリアマッピング方式の併存が引き起こすサブキャリア間干渉を低減出来る、またはなくせるように、同じサブキャリアマッピング方式が第１のキャリアに用いられる。第１のサブキャリアマッピング方式に対応する通信モードと第２のサブキャリアマッピング方式に対応する通信モードとでキャリアを共有し合う場合、基地局側で、異なるサブキャリアマッピング方式の併存が引き起こすサブキャリア間干渉を低減させる、またはなくすべく、基地局は、共有されているキャリア上で第１のサブキャリアマッピング方式でサブキャリアマッピングを実施してよい。例えば、ＮＲとＬＴＥとでキャリアを共有し合う場合、ＬＴＥのサブキャリアマッピング方式でＮＲサブキャリアがマッピングされるように、基地局は共有されているキャリア内でのＮＲサブキャリアのマッピング方式を調整し、これにより、共有されているキャリア内でのＮＲのサブキャリアとＬＴＥのサブキャリアとの間の干渉を回避する。基地局は、端末がＮＲサブキャリアマッピングのための実際の周波数位置を得られるように、端末へインジケーション情報を送信する。このようにして、端末は周波数同期をより正確に実施出来、これにより端末および基地局が決定する異なるサブキャリアマッピング周波数値が引き起こす周波数サンプリング障害の結果として起こる伝送障害を回避出来る。
【００２２】
さらに、インジケーション情報はさらに第１のキャリアの進化型ユニバーサル地上無線アクセス絶対無線周波数チャネル番号ＥＡＲＦＣＮを含む。
【００２３】
インジケーション情報は、送信のためにシステムメッセージまたはＲＲＣシグナリングで保持されてよい。
【００２４】
考えられる設計において、第１のオフセット値についての情報は第１の値または第２の値を含む。第１の値は、第１のオフセット値が０であることを示す。第２の値は、第１のオフセット値が＋７．５ＫＨｚであることを示し、または第２の値は、第１のオフセット値が−７．５ＫＨｚであることを示す。さらに、インジケーション情報はさらに、第２のオフセット値についての情報を保持する。第２のオフセット値についての情報が示す第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。代替的に、第２のオフセット値は、＋（Ｒａｓｔｅｒ２−Ｒａｓｔｅｒ１）、−（Ｒａｓｔｅｒ２−Ｒａｓｔｅｒ１）、＋Ｒａｓｔｅｒ１、または−Ｒａｓｔｅｒ１のうちいずれか１つであり、ここで、Ｒａｓｔｅｒ１は第１のチャンネルラスターの値であり、Ｒａｓｔｅｒ２は第２のチャンネルラスターの値であり、第１のチャンネルラスターは、第１のサブキャリアマッピング方式に対応する通信モードで用いられるチャンネルラスターであり、第２のチャンネルラスターは、第２のサブキャリアマッピング方式に対応する通信モードで用いられるチャンネルラスターである。オプションで、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。
【００２５】
考えられる設計において、第１のオフセット値についての情報が示す第１のオフセット値は以下の式：
Ｘ−ｆｌｏｏｒ（Ｘ／Ｒａｓｔｅｒ＋０．５）＊Ｒａｓｔｅｒ＋７．５ＫＨｚ、
Ｘ−ｆｌｏｏｒ（Ｘ／Ｒａｓｔｅｒ＋０．５）＊Ｒａｓｔｅｒ−７．５ＫＨｚ、
Ｘ−ｆｌｏｏｒ（Ｘ／Ｒａｓｔｅｒ）＊Ｒａｓｔｅｒ＋７．５ＫＨｚ、または
Ｘ−ｆｌｏｏｒ（Ｘ／Ｒａｓｔｅｒ）＊Ｒａｓｔｅｒ−７．５ＫＨｚ
のうちいずれか１つを満たし、
ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。
【００２６】
考えられる設計において、第１のオフセット値についての情報は、第１の値から第１１の値のうちいずれか１つを含む。第１の値は、第１のオフセット値が０であることを示す。第２の値は、第１のオフセット値が＋７．５ＫＨｚであることを示す。第３の値は、第１のオフセット値が−７．５ＫＨｚであることを示す。第４の値は、第１のオフセット値が＋（Ｒａｓｔｅｒ２−Ｒａｓｔｅｒ１）＋７．５ＫＨｚであることを示す。第５の値は、第１のオフセット値が＋（Ｒａｓｔｅｒ２−Ｒａｓｔｅｒ１）−７．５ＫＨｚであることを示す。第６の値は、第１のオフセット値が−（Ｒａｓｔｅｒ２−Ｒａｓｔｅｒ１）＋７．５ＫＨｚであることを示す。第７の値は、第１のオフセット値が−（Ｒａｓｔｅｒ２−Ｒａｓｔｅｒ１）−７．５ＫＨｚであることを示す。第８の値は、第１のオフセット値が＋Ｒａｓｔｅｒ１＋７．５ＫＨｚであることを示す。第９の値は、第１のオフセット値が＋Ｒａｓｔｅｒ１−７．５ＫＨｚであることを示す。第１０の値は、第１のオフセット値が−Ｒａｓｔｅｒ１＋７．５ＫＨｚであることを示す。第１１の値は、第１のオフセット値が−Ｒａｓｔｅｒ１−７．５ＫＨｚであることを示す。
【００２７】
考えられる設計において、第１のキャリアは、第１の通信モードと第２の通信モードとが共有し合うダウンリンクキャリアである。第１の通信モードに対応するサブキャリアマッピング方式は第１のサブキャリアマッピング方式であり、第２の通信モードに対応するサブキャリアマッピング方式は第２のサブキャリアマッピング方式である。
【００２８】
第４の態様によると、本願の実施形態が提供するのは、基地局からインジケーション情報を受信するよう構成された送受信機であって、インジケーション情報は第１のオフセット値についての情報を保持し、第１のオフセット値は、第２のサブキャリアマッピング方式に対応するサブキャリアに対する、第１のサブキャリアマッピング方式に対応するサブキャリアの周波数オフセットであり、第２のサブキャリアマッピング方式に対応するサブキャリアは、第１のキャリアのキャリア中心周波数に関して対称であり、第１のキャリアのキャリア中心周波数上にサブキャリアを有さない、送受信機と、インジケーション情報と、第２のサブキャリアマッピング方式と、第１のキャリアのキャリア中心周波数とに基づき第１のキャリアの１または複数のサブキャリアの周波数位置を決定するよう構成されたプロセッサとを含む端末である。端末は、インジケーション情報を受信することにより、第２のサブキャリアマッピング方式に対応するサブキャリアをマッピングするために実際の周波数位置を得てよい。このようにして、端末は周波数同期をより正確に実施出来、これにより端末および基地局が決定する異なるサブキャリアマッピング周波数値が引き起こす周波数サンプリング障害の結果として起こる伝送障害を回避出来る。第１のサブキャリアマッピング方式はＬＴＥのサブキャリアマッピング方式であり、第２のサブキャリアマッピング方式はＮＲのサブキャリアマッピング方式である。
【００２９】
さらに、インジケーション情報はさらに第１のキャリアの進化型ユニバーサル地上無線アクセス絶対無線周波数チャネル番号ＥＡＲＦＣＮを含み、プロセッサはさらに、ＥＡＲＦＣＮに基づき第１のキャリアのキャリア中心周波数を得るよう構成される。
【００３０】
端末は、システムメッセージまたはＲＲＣシグナリングを受信することによりインジケーション情報を得てよい。
【００３１】
考えられる設計において、第１のオフセット値についての情報は第１の値または第２の値を含む。第１の値は、第１のオフセット値が０であることを示す。第２の値は、第１のオフセット値が＋７．５ＫＨｚであることを示し、または第２の値は、第１のオフセット値が−７．５ＫＨｚであることを示す。さらに、インジケーション情報はさらに、第２のオフセット値についての情報を保持する。第２のオフセット値についての情報が示す第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。代替的に、第２のオフセット値は、＋（Ｒａｓｔｅｒ２−Ｒａｓｔｅｒ１）、−（Ｒａｓｔｅｒ２−Ｒａｓｔｅｒ１）、＋Ｒａｓｔｅｒ１、または−Ｒａｓｔｅｒ１のうちいずれか１つであり、ここで、Ｒａｓｔｅｒ１は第１のチャンネルラスターの値であり、Ｒａｓｔｅｒ２は第２のチャンネルラスターの値であり、第１のチャンネルラスターは、第１のサブキャリアマッピング方式に対応する通信モードで用いられるチャンネルラスターであり、第２のチャンネルラスターは、第２のサブキャリアマッピング方式に対応する通信モードで用いられるチャンネルラスターである。オプションで、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。
【００３２】
考えられる設計において、端末は、第２のオフセット値および第１の周波数に基づき第１のキャリアのキャリア中心周波数を得る。キャリア中心周波数は第１の周波数と第２のオフセット値との合計であり、第１の周波数は、ＥＡＲＦＣＮに基づき端末が得る。
【００３３】
考えられる設計において、第１のオフセット値についての情報が示す第１のオフセット値は以下の式：
Ｘ−ｆｌｏｏｒ（Ｘ／Ｒａｓｔｅｒ＋０．５）＊Ｒａｓｔｅｒ＋７．５ＫＨｚ、
Ｘ−ｆｌｏｏｒ（Ｘ／Ｒａｓｔｅｒ＋０．５）＊Ｒａｓｔｅｒ−７．５ＫＨｚ、
Ｘ−ｆｌｏｏｒ（Ｘ／Ｒａｓｔｅｒ）＊Ｒａｓｔｅｒ＋７．５ＫＨｚ、または
Ｘ−ｆｌｏｏｒ（Ｘ／Ｒａｓｔｅｒ）＊Ｒａｓｔｅｒ−７．５ＫＨｚ
のうちいずれか１つを満たし、
ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。
【００３４】
考えられる設計において、第１のオフセット値についての情報は、第１の値から第１１の値のうちいずれか１つを含む。第１の値は、第１のオフセット値が０であることを示す。第２の値は、第１のオフセット値が＋７．５ＫＨｚであることを示す。第３の値は、第１のオフセット値が−７．５ＫＨｚであることを示す。第４の値は、第１のオフセット値が＋（Ｒａｓｔｅｒ２−Ｒａｓｔｅｒ１）＋７．５ＫＨｚであることを示す。第５の値は、第１のオフセット値が＋（Ｒａｓｔｅｒ２−Ｒａｓｔｅｒ１）−７．５ＫＨｚであることを示す。第６の値は、第１のオフセット値が−（Ｒａｓｔｅｒ２−Ｒａｓｔｅｒ１）＋７．５ＫＨｚであることを示す。第７の値は、第１のオフセット値が−（Ｒａｓｔｅｒ２−Ｒａｓｔｅｒ１）−７．５ＫＨｚであることを示す。第８の値は、第１のオフセット値が＋Ｒａｓｔｅｒ１＋７．５ＫＨｚであることを示す。第９の値は、第１のオフセット値が＋Ｒａｓｔｅｒ１−７．５ＫＨｚであることを示す。第１０の値は、第１のオフセット値が−Ｒａｓｔｅｒ１＋７．５ＫＨｚであることを示す。第１１の値は、第１のオフセット値が−Ｒａｓｔｅｒ１−７．５ＫＨｚであることを示す。
【００３５】
考えられる設計において、第１のキャリアは、第１の通信モードと第２の通信モードとが共有し合うダウンリンクキャリアである。第１の通信モードに対応するサブキャリアマッピング方式は第１のサブキャリアマッピング方式であり、第２の通信モードに対応するサブキャリアマッピング方式は第２のサブキャリアマッピング方式である。
【００３６】
第５の態様によると、本願の実施形態が提供するのは、基地局が、第１のチャンネルラスターと第２のチャンネルラスターとに基づき第２のオフセット値を決定する段階と、基地局が、端末へ第２のオフセット値についての情報を送信する段階とを含む、キャリア情報を送信するための方法である。第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。代替的に、第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒは第２のチャンネルラスターの値である。当該方法によると、端末は実際のキャリア中心周波数を得られる。このようにして、端末は周波数同期をより正確に実施出来、これにより端末および基地局が決定する異なるサブキャリア中心周波数が引き起こす周波数サンプリング障害の結果として起こる伝送障害を回避出来る。
【００３７】
具体的に、第２のチャンネルラスターが１８０ＫＨｚである場合、第２のオフセット値の値は、集合｛０，−２０，２０，−４０，４０，−６０，６０，−８０，８０｝のうち任意の要素である。第２のチャンネルラスターが９０ＫＨｚである場合、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。基地局はさらに、端末へＥＡＲＦＣＮを送信する。
【００３８】
考えられる設計において、第１のチャンネルラスターはＬＴＥチャンネルラスターであり、第２のチャンネルラスターはＮＲチャンネルラスターである。
【００３９】
第６の態様によると、本願の実施形態が提供するのは、端末が、基地局から第２のオフセット値についての情報を受信する段階と、端末が、第２のオフセット値と第１の周波数とに基づきキャリア中心周波数を得る段階とを含み、キャリア中心周波数は第１の周波数と第２のオフセット値との合計であり、第１の周波数は、ＥＡＲＦＣＮに基づき端末が得る、キャリア中心周波数を決定するための方法である。当該方法によると、端末は実際のキャリア中心周波数を得られる。このようにして、端末は周波数同期をより正確に実施出来、これにより端末および基地局が決定する異なるサブキャリア中心周波数が引き起こす周波数サンプリング障害の結果として起こる伝送障害を回避出来る。
【００４０】
第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。
【００４１】
代替的に、第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、キャリア中心周波数は、第１の周波数と第２のオフセット値との合計であり、第１の周波数がＥＡＲＦＣＮに基づき端末が得、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値である。
【００４２】
具体的に、ＮＲチャンネルラスターが１８０ＫＨｚである場合、第２のオフセット値の値は、集合｛０，−２０，２０，−４０，４０，−６０，６０，−８０，８０｝のうち任意の要素である。ＮＲチャンネルラスターが９０ＫＨｚである場合、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。
【００４３】
別の態様によると、本願の実施形態がさらに提供するのは、第５の態様における方法を実施するよう構成された基地局である。基地局は、送受信機およびプロセッサを含んでよい。プロセッサは、第１のチャンネルラスターと第２のチャンネルラスターとに基づき第２のオフセット値を決定するよう構成される。送受信機は、端末へ第２のオフセット値についての情報を送信するよう構成される。本実施形態におけるより具体的な特徴に関しては、上述の方法を参照されたい。詳細については本明細書で改めて説明しない。
【００４４】
別の態様によると、本願の実施形態がさらに提供するのは、第６の態様における方法を実施するよう構成された端末である。端末は、送受信機およびプロセッサを含んでよい。送受信機は、基地局から第２のオフセット値についての情報を受信するよう構成される。プロセッサは、第２のオフセット値と第１の周波数とに基づきキャリア中心周波数を得るよう構成され、ここで、キャリア中心周波数は、第１の周波数と第２のオフセット値との合計であり、第１の周波数は、ＥＡＲＦＣＮに基づき端末が得る。本実施形態におけるより具体的な特徴に関しては、上述の方法を参照されたい。詳細については本明細書で改めて説明しない。
【００４５】
別の態様によると、本願の実施形態が提供するのは、基地局が、アップリンクサブキャリアマッピング方式を決定する段階であって、アップリンクサブキャリアマッピング方式は第１のマッピング方式および第２のマッピング方式を含み、第１のマッピング方式に対応するアップリンクサブキャリアとダウンリンクサブキャリアとの間にサブキャリアの半分の周波数ドメインオフセットが存在し、第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成している、段階と、基地局が、アップリンクサブキャリアマッピング方式に基づきアップリンク信号を受信する段階と含む、アップリンク信号を受信するための方法である。
【００４６】
アップリンクサブキャリアマッピング方式が第１のマッピング方式である場合、アップリンク信号は：
【数１】
0006904512.tif 000002
であり、
式中、
【数２】
0006904512.tif 000003
であり、
【数３】
0006904512.tif 000004
であり、
【数４】
0006904512.tif 000005
はＩＦＦＴポイントの数であり、
【数５】
0006904512.tif 000006
は、ＵＥの現在のアップリンク信号が占有する周波数ドメインサブキャリアの数であり、
【数６】
0006904512.tif 000007
はサブキャリア間隔であり、
【数７】
0006904512.tif 000008
は時間−周波数リソース要素の信号値を表し、
【数８】
0006904512.tif 000009
は周波数ドメインサブキャリアインデックスを表し、
【数９】
0006904512.tif 000010
は時間ドメインシンボルインデックスを表し、
【数１０】
0006904512.tif 000011
はシンボル
【数１１】
0006904512.tif 000012
の巡回プレフィックス長を表し、
【数１２】
0006904512.tif 000013
は時間ドメインサンプリングポイント長を表す。
【００４７】
代替的に、アップリンクサブキャリアマッピング方式が第２のマッピング方式である場合、アップリンク信号は：
【数１３】
0006904512.tif 000014
であり、
式中、
【数１４】
0006904512.tif 000015
であり、
【数１５】
0006904512.tif 000016
であり、
【数１６】
0006904512.tif 000017
はＩＦＦＴポイントの数であり、
【数１７】
0006904512.tif 000018
は、ＵＥの現在のアップリンク信号が占有する周波数ドメインサブキャリアの数であり、
【数１８】
0006904512.tif 000019
はサブキャリア間隔であり、
【数１９】
0006904512.tif 000020
は時間−周波数リソース要素の信号値を表し、
【数２０】
0006904512.tif 000021
は周波数ドメインサブキャリアインデックスを表し、
【数２１】
0006904512.tif 000022
は時間ドメインシンボルインデックスを表し、
【数２２】
0006904512.tif 000023
はシンボル
【数２３】
0006904512.tif 000024
の巡回プレフィックス長を表し、
【数２４】
0006904512.tif 000025
は時間ドメインサンプリングポイント長を表す。
【００４８】
別の態様によると、本願の実施形態が提供するのは、端末が、アップリンクサブキャリアマッピング方式を決定する段階であって、アップリンクサブキャリアマッピング方式は第１のマッピング方式および第２のマッピング方式を含み、第１のマッピング方式に対応するアップリンクサブキャリアとダウンリンクサブキャリアとの間にサブキャリアの半分の周波数ドメインオフセットが存在し、第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成している、段階と、端末が、アップリンクサブキャリアマッピング方式に基づきアップリンク信号を送信する段階とを含む、アップリンク信号を送信するための方法である。
【００４９】
アップリンクサブキャリアマッピング方式が第１のマッピング方式である場合、アップリンク信号は：
【数２５】
0006904512.tif 000026
であり、
式中、
【数２６】
0006904512.tif 000027
であり、
【数２７】
0006904512.tif 000028
であり、
【数２８】
0006904512.tif 000029
はＩＦＦＴポイントの数であり、
【数２９】
0006904512.tif 000030
は、ＵＥの現在のアップリンク信号が占有する周波数ドメインサブキャリアの数であり、
【数３０】
0006904512.tif 000031
はサブキャリア間隔であり、
【数３１】
0006904512.tif 000032
は時間−周波数リソース要素の信号値を表し、
【数３２】
0006904512.tif 000033
は周波数ドメインサブキャリアインデックスを表し、
【数３３】
0006904512.tif 000034
は時間ドメインシンボルインデックスを表し、
【数３４】
0006904512.tif 000035
はシンボル
【数３５】
0006904512.tif 000036
の巡回プレフィックス長を表し、
【数３６】
0006904512.tif 000037
は時間ドメインサンプリングポイント長を表す。
【００５０】
代替的に、アップリンクサブキャリアマッピング方式が第２のマッピング方式である場合、アップリンク信号は：
【数３７】
0006904512.tif 000038
であり、
式中、
【数３８】
0006904512.tif 000039
であり、
【数３９】
0006904512.tif 000040
であり、
【数４０】
0006904512.tif 000041
はＩＦＦＴポイントの数であり、
【数４１】
0006904512.tif 000042
は、ＵＥの現在のアップリンク信号が占有する周波数ドメインサブキャリアの数であり、
【数４２】
0006904512.tif 000043
はサブキャリア間隔であり、
【数４３】
0006904512.tif 000044
は時間−周波数リソース要素の信号値を表し、
【数４４】
0006904512.tif 000045
は周波数ドメインサブキャリアインデックスを表し、
【数４５】
0006904512.tif 000046
は時間ドメインシンボルインデックスを表し、
【数４６】
0006904512.tif 000047
はシンボル
【数４７】
0006904512.tif 000048
の巡回プレフィックス長を表し、
【数４８】
0006904512.tif 000049
は時間ドメインサンプリングポイント長を表す。
【００５１】
別の態様によると、本願の実施形態が提供するのは、アップリンクサブキャリアマッピング方式を決定するよう構成された決定モジュールであって、アップリンクサブキャリアマッピング方式は第１のマッピング方式および第２のマッピング方式を含み、第１のマッピング方式に対応するアップリンクサブキャリアとダウンリンクサブキャリアとの間にサブキャリアの半分の周波数ドメインオフセットが存在し、第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成している、決定モジュールと、アップリンクサブキャリアマッピング方式に基づきアップリンク信号を受信するよう構成された受信モジュールと含む基地局である。
【００５２】
別の態様によると、本願の実施形態が提供するのは、アップリンクサブキャリアマッピング方式を決定するよう構成された決定モジュールであって、アップリンクサブキャリアマッピング方式は第１のマッピング方式および第２のマッピング方式を含み、第１のマッピング方式に対応するアップリンクサブキャリアとダウンリンクサブキャリアとの間にサブキャリアの半分の周波数ドメインオフセットが存在し、第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成している、決定モジュールと、アップリンクサブキャリアマッピング方式に基づきアップリンク信号を送信するよう構成された送信モジュールと含む端末である。
【００５３】
さらに別の態様によると、本願の実施形態が提供するのは、上述のネットワークデバイスまたはＵＥが用いるコンピュータソフトウェア命令を格納するよう構成されたコンピュータ記憶媒体であって、コンピュータソフトウェア命令は上述の方法を実施するよう設計されたプログラムを含む、コンピュータ記憶媒体である。
【図面の簡単な説明】
【００５４】
実施形態または従来技術を説明するのに必要な添付図面を以下に簡潔に説明する。明らかに、以下の説明において添付図面は、本願の一部の実施形態を示しているに過ぎず、当業者は、創造努力なしでこれら添付図面から他の図面を導き出してよい。
【００５５】
【図１】ＬＴＥダウンリンクキャリア上のサブキャリアマッピングの概略図である。
【００５６】
【図２】ＬＴＥアップリンクキャリア上のサブキャリアマッピングの概略図である。
【００５７】
【図３】ＮＲとＬＴＥとでダウンリンクキャリアを共有し合う場合に存在するサブキャリア間干渉の概略図である。
【００５８】
【図４】ＮＲおよびＬＴＥによるアップリンクキャリアの共有の概略図である。
【００５９】
【図５】ＮＲおよびＬＴＥによるアップリンクキャリアおよびダウンリンクキャリアの共有の概略図である。
【００６０】
【図６】本願の実施形態に係る通信方法の概略フローチャートである。
【００６１】
【図７】本願の一実施形態に係る基地局の考えられる概略構造図である。
【００６２】
【図８】本願の一実施形態に係る端末の考えられる設計構造の簡略化された概略図である。
【００６３】
【図９】アップリンク信号を受信するための方法の概略フローチャートである。
【００６４】
【図１０】第１のマッピング方式の概略図である。
【００６５】
【図１１】第２のマッピング方式の概略図である。
【００６６】
【図１２】第１のマッピング方式および第２のマッピング方式の概略図である。
【００６７】
【図１３】アップリンク信号を送信するための方法の概略フローチャートである。
【発明を実施するための形態】
【００６８】
本願の実施形態の添付図面を参照し本願の実施形態の技術的解決法を以下に説明する。明らかに、説明されている実施形態は本願の実施形態の全てではなく一部に過ぎない。創造努力なしで本願の実施形態に基づき当業者が得る他の全ての実施形態が、本願の保護範囲に含まれるものとする。
【００６９】
本願の実施形態における基地局は、無線アクセスネットワーク内に展開され、端末のために無線通信機能を提供するよう構成された装置であることが理解されるべきである。基地局は、マクロ基地局、ミクロ基地局（スモールセルとも呼ばれる）、中継ノード、アクセスポイント、および様々な形態の同様のものを含んでよい。異なる無線アクセス技術を用いるシステムで、基地局機能を有するデバイスの名称は異なってよい。例えば、デバイスは、ＬＴＥシステムでは進化型ノードＢ（ｅｖｏｌｖｅｄ  ＮｏｄｅＢ，略してｅＮＢまたはｅＮｏｄｅＢ）と呼ばれ、または第３世代（３ｒｄ  ｇｅｎｅｒａｔｉｏｎ，略して３Ｇ）システムではＮｏｄｅＢ（ＮｏｄｅＢ）と呼ばれ、または将来の新無線（Ｎｅｗ  Ｒａｄｉｏ，ＮＲ）ネットワークではｇＮＢと呼ばれる。説明を容易にすべく、本願の実施形態全てにおいて、端末のために無線通信機能を提供する上述の装置は総じて基地局と呼ばれる。本願の実施形態において端末はユーザ機器であってよく、具体的には、移動局（Ｍｏｂｉｌｅ  Ｓｔａｔｉｏｎ，略してＭＳ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）、無線通信機能付きのハンドヘルドデバイス、無線モデムに接続されたコンピューティングデバイスまたは別のプロセシングデバイス、車載デバイス、ウェアラブルデバイス、ＮＲネットワーク内の端末デバイス、または同様のものを含むが、これらに限定されない。
【００７０】
ＬＴＥダウンリンクキャリア上でサブキャリアマッピングが実施される場合、直流サブキャリアが予約され、その直流サブキャリアは、ダウンリンクキャリアの中心周波数に位置している。図１は、ＬＴＥダウンリンクキャリア上のサブキャリアマッピングの概略図である。図１に示すように、ｆｃはダウンリンクキャリアの中心周波数を表し、直流サブキャリアはｆｃに位置する。サブキャリアマッピングがＬＴＥアップリンクキャリア上で実施される場合、アップリンクサブキャリアは、アップリンクキャリアの中心周波数に関して対称である。図２は、ＬＴＥアップリンクキャリア上のサブキャリアマッピングの概略図である。図２に示すように、ｆｃはアップリンクキャリアの中心周波数を表し、アップリンクサブキャリアはｆｃに関して対称である。
【００７１】
ＮＲのダウンリンクサブキャリアマッピングおよびアップリンクサブキャリアマッピングの間には直流サブキャリアは予約されず、ＮＲのアップリンクサブキャリアマッピング方式およびダウンリンクサブキャリアマッピング方式は同じである。具体的に、図２に示すサブキャリアマッピング方式がＮＲに用いられてよい。
【００７２】
図２のサブキャリアマッピング方式がＮＲに用いられる状況に関して、ＮＲとＬＴＥとでダウンリンクキャリアを共有し合う場合、ＮＲのダウンリンクサブキャリアマッピング方式は図２に示すものであり、ＬＴＥのダウンリンクサブキャリアマッピング方式は図１に示すものである。図３は、ＮＲとＬＴＥとでダウンリンクキャリアを共有し合う場合に存在するサブキャリア間干渉の概略図である。周波数分割多重（ｆｒｅｑｕｅｎｃｙ  ｄｉｖｉｓｉｏｎ  ｍｕｌｔｉｐｌｅｘｉｎｇ，ＦＤＭ）を通じてＬＴＥとＮＲとで同じダウンリンクキャリアを共有し合う場合、ＮＲとＬＴＥとでダウンリンクサブキャリアマッピング方式が異なるので、ＮＲとＬＴＥとでサブキャリア間隔（ｓｕｂｃａｒｒｉｅｒ  ｓｐａｃｉｎｇ）が同じである場合、図３に示すサブキャリア間干渉が生じる。図３において、破線はＮＲサブキャリアを表し、実線はＬＴＥサブキャリアを表す。
【００７３】
ＬＴＥシステムにおいて、通信は特別に割り当てられたキャリア上のみで実施される。ＬＴＥ技術規格によると、キャリア中心周波数は１００ＫＨｚの整数倍である必要があり、つまり、キャリア中心周波数はチャンネルラスター（Ｃｈａｎｎｅｌ  Ｒａｓｔｅｒ）ルールを満たす必要があり、つまり、キャリア中心周波数はチャンネルラスターの値の整数倍である。具体的に、アップリンクキャリアの中心周波数とダウンリンクキャリアの中心周波数とはそれぞれ、進化型ユニバーサル地上無線アクセス（ｅｖｏｌｖｅｄ  ｕｎｉｖｅｒｓａｌ  ｔｅｒｒｅｓｔｒｉａｌ  ｒａｄｉｏ  ａｃｃｅｓｓ，Ｅ−ＵＴＲＡ）絶対無線周波数チャネル番号（Ｅ−ＵＴＲＡ  ａｂｓｏｌｕｔｅ  ｒａｄｉｏ  ｆｒｅｑｕｅｎｃｙ  ｃｈａｎｎｅｌ  ｎｕｍｂｅｒ，ＥＡＲＦＣＮ）で識別される。最初のセルアクセスを実施する場合、端末は、１００ＫＨｚの整数倍であるキャリア周波数の検索を実施する。通信に利用可能なセルを端末が見つけると、端末は、セルでのキャンプオンを試み、見つかったチャンネルラスター結果に基づきセルのダウンリンクキャリアの中心周波数を得、セルの基地局が送信したブロードキャストメッセージを読み取る。ブロードキャストメッセージは、セルのアップリンクＥＡＲＦＣＮを含む。端末は、ＥＡＲＦＣＮに基づきセルのアップリンクキャリアの中心周波数を得てよく、それから、基地局への接続を確立すべくアップリンクキャリアの中心周波数上でのランダムアクセスを開始してよい。キャリア中心周波数は、キャリアの中心周波数とみなされてよく、いくつかの状況では、キャリア中心周波数は短くキャリア周波数とも呼ばれる。
【００７４】
将来の通信システムにおいて、ＮＲとＬＴＥとはキャリアを共有し合うことにより併存してよい。したがって、共有されているキャリアがＬＴＥキャリアである場合、ＬＴＥのサブキャリアマッピングおよびチャンネルラスターの制約を考慮する必要がある。
【００７５】
本願の実施形態は、サブキャリアマッピングまたはチャンネルラスターが引き起こすサブキャリア間干渉を低減させる、またはなくすべく、方法を提供する。その方法を以下に詳細に説明する。
【００７６】
将来の通信システムにおいて、主に以下のシナリオでＮＲとＬＴＥとでキャリアを共有し合う。
【００７７】
シナリオ１：ＮＲとＬＴＥとでアップリンクキャリアを共有し合う。図４は、ＮＲおよびＬＴＥによるアップリンクキャリアの共有の概略図である。図４に示すように、ＮＲの専用キャリアはダウンリンクキャリアである。さらに、ＮＲの専用キャリア上での伝送は、時分割複信（Ｔｉｍｅ  Ｄｉｖｉｓｉｏｎ  Ｄｕｐｌｅｘｉｎｇ，ＴＤＤ）方式で行われてよい。ＮＲとＬＴＥとでＬＴＥアップリンクキャリアを共有し合う。さらに、共有されているアップリンクキャリア上での伝送は、周波数分割複信（Ｆｒｅｑｕｅｎｃｙ  Ｄｉｖｉｓｉｏｎ  Ｄｕｐｌｅｘｉｎｇ，ＦＤＤ）方式で行われてよい。ＮＲとＬＴＥとで、時分割多重（Ｔｉｍｅ  Ｄｉｖｉｓｉｏｎ  Ｍｕｌｔｉｐｌｅｘｉｎｇ，ＴＤＭ）を通じいくつかのサブフレームまたはスロットで、例えば、図４ではスロット４／５／７またはサブフレーム４／５／７で、ＬＴＥアップリンクキャリアを共有し合う。ＮＲとＬＴＥとで、周波数分割多重（Ｆｒｅｑｕｅｎｃｙ  Ｄｉｖｉｓｉｏｎ  Ｍｕｌｔｉｐｌｅｘｉｎｇ，ＦＤＭ）を通じいくつかのサブフレームまたはスロットで、例えば、図４のスロット８またはサブフレーム８で、ＬＴＥアップリンクキャリアを共有し合う。ＳＲＳはサウンディング参照信号（ｓｏｕｎｄｉｎｇ  ｒｅｆｅｒｅｎｃｅ  ｓｉｇｎａｌ，ＳＲＳ）である。
【００７８】
シナリオ２：ＮＲとＬＴＥとで、ダウンリンクキャリアおよびアップリンクキャリアを共有し合う。図５は、ＮＲおよびＬＴＥによるアップリンクキャリアおよびダウンリンクキャリアの共有の概略図である。ＮＲとＬＴＥとで、ＬＴＥダウンリンクキャリアおよびＬＴＥアップリンクキャリアを共有し合う。ＮＲとＬＴＥとで、ＦＤＭまたはＴＤＭを通じＬＴＥキャリアを共有し合ってよい。図５において、ダウンリンクキャリア上では、ＮＲがスロット４／５／７またはサブフレーム４／５／７を占有しており、共有方式はＴＤＭである。ＮＲとＬＴＥとで、いくつかのサブフレームまたはスロットで、例えば、図５ではスロット８またはサブフレーム８でＬＴＥダウンリンクキャリアを共有し合い、共有方式はＦＤＭである。加えて、図５において、ＮＲはＬＴＥキャリアと異なる専用キャリアを有さない。代替的に、ＬＴＥキャリアと異なる専用キャリアがＮＲに割り当てられてよい。ＰＤＣＣＨは、物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）である。
【００７９】
スロットまたはサブフレームの数、スロットまたはサブフレームの位置は一例に過ぎず、スロットの数、およびスロットの位置は実際の要求条件に基づき変わってよいことに留意すべきである。加えて、ＮＲとＬＴＥとでダウンリンクキャリアのみを共有し合う状況もある。具体的な共有方式については、図４または図５を参照されたい。詳細については本明細書で改めて説明しない。
【００８０】
しかしながら、ＮＲとＬＴＥとでキャリアを共有し合う場合、異なるサブキャリアマッピング方式に起因するＮＲサブキャリアとＬＴＥサブキャリアとの間の干渉を考慮する必要がある。例えば、第１のキャリアのキャリア中心周波数上で、直流サブキャリアがＬＴＥダウンリンクキャリアのために予約されており、サブキャリアがＬＴＥアップリンクキャリアのためには予約されてない。第１のキャリアのキャリア中心周波数上で、サブキャリアがＮＲアップリンクキャリアおよびＮＲダウンリンクキャリアのために予約されていない。ＮＲとＬＴＥとでダウンリンクキャリアを共有し合う場合、ＮＲとＬＴＥとでサブキャリアマッピング方式が異なるので、または、ＮＲサブキャリアマッピングおよびＬＴＥサブキャリアマッピングのために周波数位置間にサブキャリアの半分のオフセットがあるのでサブキャリア間干渉、例えば、図３に示すサブキャリア間干渉が生じる。同様に、ＮＲとＬＴＥとでアップリンクキャリアを共有し合う場合も同様の問題が存在し得る。
【００８１】
したがって、異なるサブキャリアマッピング方式が引き起こすサブキャリア間干渉を低減すべく、ＮＲは、共有されているキャリア上でサブキャリアマッピング方式がＬＴＥと同じであってよい（例えば、ダウンリンクキャリアが共有される場合、図１のサブキャリアマッピング方式がＮＲおよびＬＴＥの両方に用いられる）。別の観点では、ＮＲサブキャリアが図１（または図２）の方式でマッピングされる場合、得られる結果は、サブキャリアマッピングが図２（または図１）の方式で実施される場合に得られる結果に対してサブキャリアの半分のオフセットを有していることも考慮されてよい。しかしながら、端末がそれでもＮＲの元のマッピング方式で処理を実施した場合、周波数オフセットがある。したがって、関連情報に基づき端末がサブキャリアマッピングのための実際の周波数位置を得られるように、基地局は関連情報を端末に通知する必要がある。
【００８２】
図６は、本願の実施形態に係る通信方法の概略フローチャートである。図６に示すように、方法は以下の段階を含む。
【００８３】
段階６０１：基地局が、第１のサブキャリアマッピング方式で第１のキャリア上でサブキャリアマッピングを実施する。
【００８４】
第１のサブキャリアマッピング方式に対応するサブキャリアは、第２のサブキャリアマッピング方式に対応するサブキャリアに対する第１のオフセット値の周波数オフセットを有する。さらに、第１のサブキャリアマッピング方式に対応するサブキャリアは、第１のキャリアのキャリア中心周波数に関して対称であり、直流サブキャリアを含み、第２のサブキャリアマッピング方式に対応するサブキャリアは、第１のキャリアのキャリア中心周波数に関して対称であり、第１のキャリアのキャリア中心周波数上でサブキャリアを含まない。加えて、第１のサブキャリアマッピング方式に対応するサブキャリアと第２のサブキャリアマッピング方式に対応するサブキャリアとで周波数幅が同じである場合、第１のオフセット値は、サブキャリアの半分の周波数幅であってよい。具体的に、第１のサブキャリアマッピング方式はＬＴＥのサブキャリアマッピング方式であってよく、第２のサブキャリアマッピング方式はＮＲのサブキャリアマッピング方式であってよい。代替的に、第１のサブキャリアマッピング方式は図１に示すサブキャリアマッピング方式であってよく、第２のサブキャリアマッピング方式は図２に示すサブキャリアマッピング方式であってよい。
【００８５】
オプションで、サブキャリアマッピングは、ＮＲとＬＴＥとが共有し合うキャリアを処理する方式でＮＲの専用キャリア上で同様に実施されてよい。
【００８６】
ある例では、第１のキャリアは、ＮＲとＬＴＥとが共有し合うダウンリンクキャリアであり、第１のキャリアのサブキャリアマッピング方式は、ＬＴＥのサブキャリアマッピング方式と整合していてよく、サブキャリアマッピングの結果は、キャリア中心周波数に対してサブキャリアの半分だけシフトしている。別の観点では、サブキャリアマッピングの間、実際のキャリア中心周波数がサブキャリアの半分だけシフトする。
【００８７】
段階６０２：基地局が、端末へインジケーション情報を送信する。ここでインジケーション情報は、第１のオフセット値についての情報を保持する。
【００８８】
インジケーション情報は、送信のためにシステムメッセージまたはＲＲＣシグナリングで保持されてよい。オプションで、第１のオフセット値についての情報は、１または複数の考えられる値のうち１つであってよい。それら１または複数の考えられる値は、第１のオフセット値の１または複数の考えられる状況に対応する。例えば、第１のオフセット値が−７．５ＫＨｚ、＋７．５ＫＨｚ、または０である場合、第１のオフセット値についての情報は、第１の値、第２の値、または第３の値であってよい。第１の値は、第１のオフセット値が−７．５ＫＨｚであることを示す、などである。オプションで、第１のオフセット値についての情報が第１の値である場合、このことは、第１のオフセット値が第１の方向へのサブキャリアの半分のシフトであることを示し、第１のオフセット値についての情報が第２の値である場合、このことは、第１のオフセット値が第２の方向へのサブキャリアの半分のシフトであることを示し、または第１のオフセット値についての情報が第３の値である場合、このことは、オフセットがないことを示す。もちろん、第１のオフセット値についての情報は、第３の値を含まなくてよい。対応して、第１のオフセット値が０である状況は含まれない。
【００８９】
基地局は、インジケーション情報を用いることにより、第１のキャリアのサブキャリアマッピング方式をＮＲ端末に通知してよい。この実装は、ダウンリンクキャリアが共有される状況に適用されてよく、アップリンクキャリアが共有される状況にも適用されてよい。ダウンリンクキャリアを共有することが例として用いられており、ＬＴＥのダウンリンクサブキャリアマッピング方式を図１に示す。ダウンリンクキャリアが共有される場合、ＮＲサブキャリアとＬＴＥサブキャリアとの間の干渉を回避すべく、周波数に関してＮＲサブキャリアとＬＴＥサブキャリアとが揃っていること、または交差していないことを確実にする必要がある。したがって、共有されているダウンリンクキャリアのＮＲサブキャリアは、ＬＴＥのサブキャリアマッピング方式（例えば、図１のマッピング方式）でマッピングされてよい。別の観点では、ＮＲのサブキャリアマッピング方式（例えば、図２のマッピング方式。ここで、ＮＲサブキャリア幅はＬＴＥサブキャリア幅と同じである）で、共有されているダウンリンクキャリア上でＮＲに関してサブキャリアマッピングが実施された後、サブキャリアの半分のオフセットがあることも考慮されてよい。例えば、ＬＴＥサブキャリア間隔から、ＮＲサブキャリアの周波数オフセット値が−７．５ＫＨｚまたは＋７．５ＫＨｚであってよいことを把握してよい。
【００９０】
第１のオフセット値についての、インジケーション情報で保持される情報に関して、インジケーション情報は、第１のオフセット値に対応する１または複数の値を直接保持する。考えられる実装は表１を用いることにより表されてよい。
表１  インジケーション情報の表
【表１】
0006904512.tif 000050
【００９１】
さらに、異なるオフセット方向に基づき、第１の方向へのサブキャリアの半分のオフセット、または第２の方向へのサブキャリアの半分のオフセットがある。同様に、周波数オフセットは−７．５ＫＨｚまたは＋７．５ＫＨｚであってよい。上述の表は一例に過ぎず、共有されているダウンリンクキャリアおよび共有されているアップリンクキャリアのそれぞれに関して対応する表が設計されてよいことに留意すべきである。インジケーション情報は、より多くの値を有してもよい。例えば、インジケーション情報が第３の値である場合、このことは、周波数オフセットがｘＨｚであることを示し、ｘは任意の実数であってよい。
【００９２】
第１のオフセット値についての、インジケーション情報で保持される情報について、別の考えられる実装は、表２を用いることにより表されてよい。インジケーション情報は第１のオフセット値に対応しており、対応関係（または表）は、事前に基地局と端末とで同意されていてよく、または事前に基地局と端末とで別々に設定されてよい。
表２  インジケーション情報の別の形態
【表２】
0006904512.tif 000051
【００９３】
オプションで、インジケーション情報は直接的に周波数オフセットの具体的な値であってよい。例えば、インジケーション情報は、−７．５ＫＨｚ、＋７．５ＫＨｚ、または０である。
【００９４】
ＮＲが専用のダウンリンクキャリアを有さないシナリオ、例えば、図５に示すキャリア共有シナリオにおいて、共有されているキャリアはＦＤＤキャリアであってよい（例えば、ＮＲとＬＴＥとで、図５の周波数分割多重を通じてスロット８のキャリアを共有し合う）。端末が、インジケーション情報に基づきＮＲサブキャリアの周波数位置を得られるように、基地局は、共有されているキャリアのインジケーション情報を端末に通知する必要がある。具体的に、基地局は、共有されているキャリアのＥＡＲＦＣＮおよびインジケーション情報を端末に通知してよい。考えられる例において、同期チャネルは、共有されているキャリア全体の周波数範囲の中心位置に位置し、この状況では、ＥＡＲＦＣＮは通知される必要がない。端末は、同期チャネルを検出することによりキャリア中心周波数を得てよい。したがって、基地局は、インジケーション情報のみを通知する必要があってよい。ＮＲが専用のダウンリンクキャリアを有するシナリオにおいて、基地局は、専用のダウンリンクキャリアを用いることにより、共有されているキャリアのインジケーション情報（または関連するキャリア情報）を通知してよい。さらに、基地局は、専用のダウンリンクキャリアを用いることにより、共有されているキャリアのＥＡＲＦＣＮを端末に通知してもよい。ＥＡＲＦＣＮは、キャリア中心周波数を示すのに用いられ、その機能を実現出来る別のパラメータに置き換わられてよいことに留意すべきである。このことは本願おいて限定されない。
【００９５】
段階６０３：端末が、基地局からインジケーション情報を受信する。
【００９６】
インジケーション情報は、第１のオフセット値についての情報を保持し、第１のオフセット値は、第２のサブキャリアマッピング方式に対応するサブキャリアに対する、第１のサブキャリアマッピング方式に対応するサブキャリアの周波数オフセットである。さらに、第１のサブキャリアマッピング方式に対応するサブキャリアは、第１のキャリアのキャリア中心周波数に関して対称であり、直流サブキャリアを含み、第２のサブキャリアマッピング方式に対応するサブキャリアは、第１のキャリアのキャリア中心周波数に関して対称であり、第１のキャリアのキャリア中心周波数上でサブキャリアを含まない。加えて、第１のサブキャリアマッピング方式に対応するサブキャリアと第２のサブキャリアマッピング方式に対応するサブキャリアとで周波数幅が同じである場合、第１のオフセット値は、サブキャリアの半分の周波数幅であってよい。
【００９７】
端末は、システムメッセージまたはＲＲＣシグナリングを受信することによりインジケーション情報を得てよい。オプションで、第１のオフセット値についての情報は、１または複数の考えられる値のうち１つであってよい。それら１または複数の考えられる値は、第１のオフセット値の１または複数の考えられる状況に対応する。例えば、第１のオフセット値が−７．５ＫＨｚ、＋７．５ＫＨｚ、または０である場合、第１のオフセット値についての情報は、第１の値、第２の値、または第３の値であってよい。第１の値は、第１のオフセット値が−７．５ＫＨｚであることを示す、などである。オプションで、第１のオフセット値についての情報が第１の値である場合、このことは、第１のオフセット値が第１の方向へのサブキャリアの半分のシフトであることを示し、第１のオフセット値についての情報が第２の値である場合、このことは、第１のオフセット値が第２の方向へのサブキャリアの半分のシフトであることを示し、または第１のオフセット値についての情報が第３の値である場合、このことは、オフセットがないことを示す。もちろん、第１のオフセット値についての情報は、第３の値を含まなくてよい。対応して、第１のオフセット値が０である状況は含まれない。
【００９８】
さらに、端末は、基地局からＥＡＲＦＣＮを受信してよい。
【００９９】
段階６０４：端末が、インジケーション情報と、第２のサブキャリアマッピング方式と、第１のキャリアのキャリア中心周波数とに基づき、第１のキャリアの１または複数のサブキャリアの周波数位置を決定する。
【０１００】
具体的に、端末は、インジケーション情報が示す第１のオフセット値に基づき第１のキャリアのキャリア中心周波数をシフトさせて、サブキャリアマッピングが第２のサブキャリアマッピング方式で実施されている場合に存在する実際のキャリア中心周波数を得、したがって、実際のキャリア中心周波数と第２のサブキャリアマッピング方式とに基づき１または複数のサブキャリアの周波数位置を得られる。例えば、ＮＲとＬＴＥとでキャリアを共有し合っている場合、端末は、インジケーション情報に基づきＮＲサブキャリアの周波数位置を決定してよい。
【０１０１】
別の考えられる実装において、端末が、ＥＡＲＦＣＮを用いることにより、第１のキャリアのキャリア中心周波数を得た後、端末は、ＮＲのサブキャリアマッピング方式で１または複数のサブキャリアの第１の周波数位置を得、さらに、インジケーション情報が示す第１のオフセット値（または、サブキャリアマッピングの周波数オフセット値）に基づき１または複数のサブキャリアの第２の周波数位置を得る。第２の周波数位置は、第１の周波数位置に対する第１のオフセット値の周波数オフセットを有する。
【０１０２】
第１のキャリアのキャリア中心周波数は、ブロードキャストメッセージまたは専用のメッセージで保持されるＥＡＲＦＣＮを用いることにより端末が得てよく、または端末が同期信号を受信する場合に端末が得てよいことに留意すべきである。
【０１０３】
オプションで、端末がＥＡＲＦＣＮを用いることによりキャリア中心周波数を得る方式は次の通りである：ダウンリンクＥＡＲＦＣＮとダウンリンクキャリア中心周波数（単位：メガヘルツ（ＭＨｚ））との間の関係は式：ＦＤＬ＝ＦＤＬ＿ｌｏｗ＋０．１（ＮＤＬ−ＮＯｆｆｓ−ＤＬ）により与えられ、ここで、ＦＤＬはダウンリンクキャリア中心周波数であり、ＮＤＬはダウンリンクＥＡＲＦＣＮであり、ＦＤＬ＿ｌｏｗは周波数範囲内の最低周波数値であり、ＮＯｆｆｓ−ＤＬは、周波数範囲内のオフセット値である。ＦＤＬ＿ｌｏｗおよびＮＯｆｆｓ−ＤＬは、例えば表３に示すように規格で特定されてよい。例えば、ダウンリンクＥＡＲＦＣＮ（またはＮＤＬ）が１０であることを基地局が端末に通知する場合、ＮＤＬの値の範囲は０から５９９である。したがって、対応するＦＤＬ＿ｌｏｗおよびＮＯｆｆｓ−ＤＬはそれぞれ２１１０および０であり、式に基づく計算によれば、１０であるＮＤＬに対応するキャリア中心周波数は２１１１ＭＨｚである。同様に、アップリンクＥＡＲＦＣＮとアップリンクキャリア中心周波数（単位：メガヘルツ（ＭＨｚ））との間の関係は、式：ＦＵＬ＝ＦＵＬ＿ｌｏｗ＋０．１（ＮＵＬ−ＮＯｆｆｓ−ＵＬ）により与えられ、ここで、ＦＵＬはアップリンクキャリア中心周波数であり、ＮＵＬはアップリンクＥＡＲＦＣＮであり、ＦＵＬ＿ｌｏｗは周波数範囲内の最低周波数値であり、ＮＯｆｆｓ−ＵＬは周波数範囲内のオフセット値である。
表３：ＦＤＬ＿ｌｏｗおよびＮＯｆｆｓ−ＤＬの値
【表３】
0006904512.tif 000052
【０１０４】
さらに、ＥＡＲＦＣＮを用いることにより、第１のキャリアのキャリア中心周波数を得た後、端末は、インジケーション情報で保持される第１のオフセット値（またはサブキャリアマッピングの周波数オフセット値）に基づき、第１のキャリア上でサブキャリアマッピングが実施される場合に存在する実際のキャリア中心周波数を得て、第１のキャリアのサブキャリアをマッピングするための周波数値を得てよい。
【０１０５】
オプションで、端末は、インジケーション情報が示すＥＡＲＦＣＮと第１のオフセット値（またはサブキャリアマッピングの周波数オフセット値。ここで当該値はＦｏｆｆｓを用いることにより表されてよい）とに基づき直接、サブキャリアマッピングが第２のサブキャリアマッピング方式で第１のキャリア上で実施される場合に存在する実際のキャリア中心周波数を得て（ここで、ＦＤＬ＝ＦＤＬ＿ｌｏｗ＋０．１（ＮＤＬ−ＮＯｆｆｓ−ＤＬ）＋ＦｏｆｆｓまたはＦＵＬ＝ＦＵＬ＿ｌｏｗ＋０．１（ＮＵＬ−ＮＯｆｆｓ−ＵＬ）＋Ｆｏｆｆｓ）、第１のキャリアの１または複数のサブキャリアの周波数位置を得てよい。
【０１０６】
ＬＴＥにおいて、キャリア中心周波数が１００ＫＨｚの整数倍である必要があること、つまり、キャリア中心周波数がチャンネルラスタールールを満たす必要があることに留意すべきである。ＮＲのチャンネルラスタールールは、ＬＴＥのルールに即してよく、またはＬＴＥのルールと異なってよい。例えば、ＮＲのキャリア中心周波数は、３００ＫＨｚの整数倍であってよい。つまり、ＮＲとＬＴＥとでチャンネルラスターが異なる場合、異なるチャンネルラスターが引き起こす周波数オフセットをさらに考慮する必要がある。
【０１０７】
したがって、インジケーション情報はさらに、第２のオフセット値についての情報を保持してよく、第２のオフセット値は、異なるチャンネルラスターが引き起こす周波数オフセットである。考えられる実装において、第２のオフセット値は、式Ｘ−ｆｌｏｏｒ（Ｘ／Ｒａｓｔｅｒ＿ＮＲ＋０．５）＊Ｒａｓｔｅｒ＿ＮＲまたは式Ｘ−ｆｌｏｏｒ（Ｘ／Ｒａｓｔｅｒ＿ＮＲ）＊Ｒａｓｔｅｒ＿ＮＲを満たし、ここで、ｆｌｏｏｒ（）は端数切捨てを意味し、Ｘは１００ＫＨｚの整数倍であり、Ｘの考えられる値の範囲は０から（Ｙ−１００）であり、Ｙは１００ＫＨｚおよびＲａｓｔｅｒ＿ＮＲの公倍数であり、Ｒａｓｔｅｒ＿ＮＲはＮＲチャンネルラスターの値を表し、第２のオフセット値の単位はＫＨｚである。Ｙは、ＮＲチャンネルラスターの値に基づき計算されてよく、第２のオフセット値のオプションの値全てが得られるようにＸのオプションの値全ての範囲がさらに計算される。ＮＲチャンネルラスターの値が３００ＫＨｚである場合、Ｙの値は３００ＫＨｚであり、第２のオフセット値の考えられる値は０、１００ＫＨｚ、または−１００ＫＨｚである。オプションで、第２のオフセット値の値は表４に示すものであってよい。表４における対応関係は、事前に基地局および端末により同意されていてよく、または事前に基地局と端末とで別々に設定されてよい。例えば、
表４  第２のオフセット値の値
【表４】
0006904512.tif 000053
【０１０８】
オプションで、基地局が、第１のオフセット値についての情報および第２のオフセット値についての情報を別々に送信する場合、第２のオフセット値についての情報を受信した後、端末は、上述の説明における第１のオフセット値のオペレーション方式で処理を実施してよい。詳細については本明細書で改めて説明しない。
【０１０９】
加えて、インジケーション情報は、総オフセット値についての情報を保持してよく、または総オフセット値についての情報のみを保持してよい。総オフセット値は、第１のオフセット値と第２のオフセット値とに基づき得られてよい。例えば、総オフセット値は、第１のオフセット値および第２のオフセット値の合計である。総オフセット値の伝送の具体的な実装に関しては、上述の方法における第１のオフセット値の説明を参照されたい。詳細については本明細書で改めて説明しない。オプションで、ＮＲチャンネルラスターの値が３００ＫＨｚである場合、Ｙの値は３００ＫＨｚであり、総オフセット値の値は表５または表６に示すものである。表５または表６の対応関係は、事前に基地局および端末により同意されていてよく、または事前に基地局と端末とで別々に設定されてよい。
表５  総オフセット値の値
【表５】
0006904512.tif 000054
【表６】
0006904512.tif 000055
【０１１０】
オプションで、ＮＲチャンネルラスターの値が１８０ＫＨｚである場合、Ｙの値は９００ＫＨｚであり、第２のオフセット値の値は表７に示すものであってよい。表７における対応関係は、事前に基地局および端末により同意されていてよく、または事前に基地局と端末とで別々に設定されてよい。例えば、
表７  第２のオフセット値の値
【表７】
0006904512.tif 000056
【０１１１】
オプションで、ＮＲチャンネルラスターの値が１８０ＫＨｚである場合、Ｙの値は９００ＫＨｚであり、総オフセット値の値は表８または表９に示すものである。表８または表９の対応関係は、事前に基地局および端末により同意されていてよく、または事前に基地局と端末とで別々に設定されてよい。
表８  総オフセット値の値
【表８】
0006904512.tif 000057
【表９】
0006904512.tif 000058
【０１１２】
サブキャリアマッピングが引き起こす周波数オフセットがない場合、基地局は、第２のオフセット値についての情報のみを端末に通知してよいことに留意すべきである。例えば、基地局は、第１のチャンネルラスターと第２のチャンネルラスターとに基づき第２のオフセット値を決定し、基地局は、端末へ第２のオフセット値についての情報を送信する。第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。代替的に、第２のオフセット値は式Ｘ−ｆｌｏｏｒ（Ｘ／Ｒａｓｔｅｒ＋０．５）＊Ｒａｓｔｅｒまたは式Ｘ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒは第２のチャンネルラスターの値である。具体的に、第２のチャンネルラスターが１８０ＫＨｚである場合、第２のオフセット値の値は、集合｛０，−２０，２０，−４０，４０，−６０，６０，−８０，８０｝のうち任意の要素である。第２のチャンネルラスターが９０ＫＨｚである場合、第２のオフセット値の値は、集合｛０，−１０，１０，−２０，２０，−３０，３０，−４０，４０，−５０，５０，−６０，６０，−７０，７０，−８０，８０，−９０，９０｝のうち任意の要素である。上述の集合のうち任意の要素の単位はＫＨｚであってよい。考えられる設計において、第１のチャンネルラスターはＬＴＥチャンネルラスターであり、第２のチャンネルラスターはＮＲチャンネルラスターである。より具体的な実装の方法に関しては、第１のオフセット値の実装を参照されたい。詳細については本明細書で改めて説明しない。
【０１１３】
ＮＲとＬＴＥとでキャリアを共有し合う場合、ＬＴＥのサブキャリアマッピング方式でＮＲサブキャリアがマッピングされるように、基地局は共有されているキャリア内でのＮＲサブキャリアのマッピング方式を調整し、これにより、共有されているキャリア内でのＮＲのサブキャリアとＬＴＥのサブキャリアとの間の干渉を回避する。基地局は、端末がＮＲサブキャリアマッピングのための実際の周波数位置を得られるように、端末へインジケーション情報を送信する。このようにして、端末は周波数同期をより正確に実施出来、これにより端末および基地局が決定する異なるサブキャリアマッピング周波数値が引き起こす周波数サンプリング障害の結果として起こる伝送障害を回避出来る。本願の本実施形態において、共有されているキャリア上でのサブキャリア間干渉が回避され、ＮＲの周波数同期も確実なものとなり、共有されているキャリアの周波数帯域の利用も向上する。加えて、ＮＲのカバレッジおよびモビリティの性能も、低周波数キャリアを共有することにより向上する。
【０１１４】
本願で提供される上述の実施形態において、本願の実施形態で提供されるキャリア情報を送信するための方法、サブキャリア決定方法、および関連するシグナリングは、基地局および端末の観点から説明されている。上述の機能を実現すべく、端末および基地局はそれぞれ、各機能を実施するための対応するハードウェア構造および／またはソフトウェアモジュールを含むことが理解されよう。本明細書で開示される実施形態を参照し説明されている例におけるユニットおよびアルゴリズムの段階は、本願において、ハードウェア、またはハードウェアとコンピュータソフトウェアとの組み合わせで実現されてよいことを当業者は容易に認識するはずである。それら機能がハードウェアにより実施されるか、またはコンピュータソフトウェアで駆動されるハードウェアにより実施されるかは、技術的解決法の具体的な応用および設計上の制約次第である。各具体的な応用に関して、説明された機能を実現すべく種々の方法を当業者が用いてよく、その実装が本願の範囲を越えるものとみなされるべきではない。
【０１１５】
図７は、本願の一実施形態に係る基地局の考えられる概略構造図である。図７に示す基地局は、送受信機７０１と、コントローラ／プロセッサ７０２とを含む。送受信機７０１は、上述の実施形態において端末から情報を受信すること、および端末へ情報を送信することにおいて基地局をサポートし、別のＵＥと無線通信を実施することにおいて基地局をサポートするよう構成されてよい。コントローラ／プロセッサ７０２は、端末または別のネットワークデバイスと通信するための様々な機能を実施するよう構成されてよい。アップリンクでは、端末からのアップリンク信号はアンテナが受信し、送受信機７０１が復調し、さらに、コントローラ／プロセッサ７０２が処理し、端末が送信するサービスデータおよびシグナリング情報が復元される。ダウンリンクでは、サービスデータおよびシグナリングメッセージはコントローラ／プロセッサ７０２が処理し、送受信機７０１が復調し、ダウンリンク信号が生成され、ダウンリンク信号はアンテナが端末へ伝送する。
【０１１６】
具体的に、コントローラ／プロセッサ７０２は、第１のサブキャリアマッピング方式で第１のキャリア上でサブキャリアマッピングを実施するよう構成されてよい。ここで、第１のサブキャリアマッピング方式に対応するサブキャリアは、第２のサブキャリアマッピング方式に対応するサブキャリアに対する第１のオフセット値の周波数オフセットを有しており、第２のサブキャリアマッピング方式に対応するサブキャリアは、第１のキャリアのキャリア中心周波数に関して対称であり、第１のキャリアのキャリア中心周波数上にサブキャリアを有さない。送受信機７０１は、端末へインジケーション情報を送信するよう構成されてよい。ここでインジケーション情報は、第１のオフセット値についての情報を保持する。
【０１１７】
ある例では、第１のオフセット値についての情報が示す第１のオフセット値は以下の式：
Ｘ−ｆｌｏｏｒ（Ｘ／Ｒａｓｔｅｒ＋０．５）＊Ｒａｓｔｅｒ＋７．５ＫＨｚ、
Ｘ−ｆｌｏｏｒ（Ｘ／Ｒａｓｔｅｒ＋０．５）＊Ｒａｓｔｅｒ−７．５ＫＨｚ、
Ｘ−ｆｌｏｏｒ（Ｘ／Ｒａｓｔｅｒ）＊Ｒａｓｔｅｒ＋７．５ＫＨｚ、または
Ｘ−ｆｌｏｏｒ（Ｘ／Ｒａｓｔｅｒ）＊Ｒａｓｔｅｒ−７．５ＫＨｚ
のうちいずれか１つを満たし、
ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。
【０１１８】
別の例では、第１のキャリアは、第１の通信モードと第２の通信モードとが共有し合うダウンリンクキャリアであり、第１の通信モードに対応するサブキャリアマッピング方式が第１のサブキャリアマッピング方式であり、第２の通信モードに対応するサブキャリアマッピング方式が第２のサブキャリアマッピング方式である。
【０１１９】
本実施形態におけるサブキャリアマッピング方式、インジケーション情報、および第１のオフセット値などの特徴についての関連する詳細については、上述の方法の実施形態を参照されたいことが理解されるべきである。詳細については本明細書で改めて説明しない。
【０１２０】
図７は基地局の簡略化された設計のみを示していることが理解されよう。実際の応用においては、基地局は、任意の数の送信機、受信機、プロセッサ、コントローラ、メモリ、通信ユニット、および同様のものを含んでよく、本願を実現出来る全ての基地局が本願の保護範囲に含まれる。
【０１２１】
図８は、本願の一実施形態に係る端末の考えられる設計構造の簡略化された概略図である。端末は、上述した端末のうち１つであってよい。端末は、送受信機８０１と、コントローラ／プロセッサ８０２とを含み、さらに、メモリ８０３と、モデムプロセッサ８０４とを含んでよい。
【０１２２】
送受信機８０１は、出力サンプルを調整し（例えば、それに対しアナログ変換、フィルタリング、増幅、およびアップコンバートを実施し）、アップリンク信号を生成する。アップリンク信号は、上述の実施形態でアンテナにより基地局へ伝送される。ダウンリンクにおいて、アンテナは、上述の実施形態で基地局により伝送されるダウンリンク信号を受信する。送受信機８０１は、アンテナから受信する信号を調整し（例えば、それに対しフィルタリング、増幅、ダウンコンバート、デジタル化を実施し）、入力サンプルを提供する。モデムプロセッサ８０４において、エンコーダ８０４１が、アップリンクで送信されることになるサービスデータおよびシグナリングメッセージを受信し、それらサービスデータおよびシグナリングメッセージを処理する（例えば、フォーマット化、エンコード、およびインターリーブする）。変調器８０４２がさらに、符号化済みサービスデータ、および符号化済みシグナリングメッセージを処理し（例えば、それに対しシンボルマッピング、および復調を実施し）、出力サンプルを提供する。復調器８０４４が、その入力サンプルを処理し（例えば、復調し）、シンボル推定を提供する。デコーダ８０４３は、そのシンボル推定を処理し（例えば、デインターリーブ、および復号化し）、端末に送信されることになる復号化済みデータおよび復号化済みシグナリングメッセージを提供する。エンコーダ８０４１、変調器８０４２、復調器８０４４、およびデコーダ８０４３は、複合モデムプロセッサ８０４により実現されてよい。これらユニットは、無線アクセスネットワークで用いられる（ＬＴＥおよび別の進化型システムにおけるアクセス技術などの）無線アクセス技術に基づき処理を実施する。
【０１２３】
送受信機８０１は、基地局からインジケーション情報を受信するよう構成されてよい。ここで、インジケーション情報は第１のオフセット値についての情報を保持し、第１のオフセット値は、第２のサブキャリアマッピング方式に対応するサブキャリアに対する、第１のサブキャリアマッピング方式に対応するサブキャリアの周波数オフセットであり、第２のサブキャリアマッピング方式に対応するサブキャリアは、第１のキャリアのキャリア中心周波数に関して対称であり、第１のキャリアのキャリア中心周波数上にサブキャリアを有さない。
【０１２４】
コントローラ／プロセッサ８０２は、インジケーション情報と、第２のサブキャリアマッピング方式と、第１のキャリアのキャリア中心周波数とに基づき第１のキャリアの１または複数のサブキャリアの周波数位置を決定するよう構成されてよい。
【０１２５】
ある例では、第１のオフセット値についての情報は第１の値または第２の値を含み、第１の値は、第１のオフセット値が０であることを示し、第２の値は、第１のオフセット値が＋７．５ＫＨｚであることを示し、または、第２の値は、第１のオフセット値が−７．５ＫＨｚであることを示す。さらに、インジケーション情報はさらに、第２のオフセット値についての情報を保持し、第２のオフセット値についての情報が示す第２のオフセット値はＸ−ｆｌｏｏｒ（Ｘ／Ｒａｓｔｅｒ＋０．５）＊ＲａｓｔｅｒまたはＸ−ｆｌｏｏｒ（Ｘ／Ｒａｓｔｅｒ）＊Ｒａｓｔｅｒを満たし、ｆｌｏｏｒ（）は端数切捨てを意味し、Ｘは１００ＫＨｚの整数倍であり、Ｘの値の範囲は０ＫＨｚから（Ｙ−１００）ＫＨｚであり、Ｙは１００ＫＨｚおよびＲａｓｔｅｒの公倍数であり、Ｒａｓｔｅｒはチャンネルラスターの値であり、チャンネルラスターは第２のサブキャリアマッピング方式に対応する通信モードに用いられるチャンネルラスターである。
【０１２６】
別の例では、第１のキャリアは、第１の通信モードと第２の通信モードとが共有し合うダウンリンクキャリアであり、第１の通信モードに対応するサブキャリアマッピング方式が第１のサブキャリアマッピング方式であり、第２の通信モードに対応するサブキャリアマッピング方式が第２のサブキャリアマッピング方式である。
【０１２７】
本実施形態におけるサブキャリアマッピング方式、インジケーション情報、および第１のオフセット値などの特徴についての関連する詳細については、上述の方法の実施形態を参照されたいことが理解されるべきである。詳細については本明細書で改めて説明しない。
【０１２８】
本願の端末または基地局を実施するよう構成されたコントローラ／プロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラマブル論理デバイス、トランジスタ論理デバイス、ハードウェアコンポーネント、またはこれらの任意の組み合わせであってよい。コントローラ／プロセッサは、本願で開示される内容を参照し説明されている様々な例示的なロジックブロック、モジュール、および回路を実現または実行してよい。代替的に、プロセッサは、計算機能を実現する組み合わせ、例えば、１または複数のマイクロプロセッサの組み合わせ、またはＤＳＰとマイクロプロセッサとの組み合わせであってよい。
【０１２９】
本願の本実施形態におけるプロセッサは、プロセシングモジュールにより実現されてよく、送受信機は、送受信機モジュールにより実現されてよいことが理解されるべきである。
【０１３０】
本願の実施形態はさらに、通信システムを提供し、当該通信システムは、図７に示す基地局と、図８に示す端末とを含む。
【０１３１】
図９は、アップリンク信号を受信するための方法の概略フローチャートである。図９に示すように、本願の実施形態はさらに、アップリンク信号を受信するための方法を提供し、当該方法は以下の段階を含む。
【０１３２】
段階９０１：基地局が、アップリンクサブキャリアマッピング方式を決定する。ここで、アップリンクサブキャリアマッピング方式は第１のマッピング方式および第２のマッピング方式を含む。
【０１３３】
第１のマッピング方式に対応するアップリンクサブキャリアとダウンリンクサブキャリアとの間にサブキャリアの半分の周波数ドメインオフセットが存在し、ダウンリンクサブキャリアを含むダウンリンクキャリアは、アップリンクサブキャリアを含むアップリンクキャリアと対を成す。具体的に、アップリンクキャリアは、周波数分割または初期セルアクセスの状況でダウンリンクキャリアと対を成す。
【０１３４】
図１０は、第１のマッピング方式の概略図である。図１０に示すように、ＵＬキャリア内のサブキャリアはどれも、ＤＬキャリア内のサブキャリアと揃っていない。ＵＬサブキャリアとＤＬサブキャリアとの間にサブキャリアの半分のオフセットが存在するものとみなされてよい。第１のマッピング方式は、ＮＲとＬＴＥとでＬＴＥアップリンクキャリアを共有し合うシナリオに適用されてよい。この状況では、図１０において、ＤＬがＬＴＥダウンリンクキャリアであってよく、ＵＬがＮＲアップリンクキャリアであってよい。例えば、低周波数帯域（例えば８００ＭＨｚの周波数範囲）上にＬＴＥ  ＦＤＤのアップリンクキャリアとダウンリンクキャリアとのペアがあり、ＮＲダウンリンクキャリアまたはＮＲ  ＴＤＤシステムが、高周波数帯域（例えば３．５ＧＨｚ、またさらには数十ＧＨｚの周波数範囲）上で展開される。ＮＲ基地局は、ダウンリンクカバレッジを向上させるよう、高周波数が引き起こす経路損失を低減すべく高周波数帯域上で大規模アンテナアレイのビームフォーミング技術を用いてよい。しかしながら、端末は概して、サイズ上の制約が故に全方向性アンテナを用いる。この状況では、端末のアップリンク送信の間に高周波数帯域上でのカバレッジの問題がある。したがって、高周波数帯域上で展開されるＮＲダウンリンクキャリア、および低周波数帯域上のＬＴＥアップリンクキャリアは、ＮＲ端末に対応すべく協働で処理を行ってよい。この状況では、このことは、ＮＲとＬＴＥとでＬＴＥアップリンクキャリアを共有することと同等である。言い換えると、ＮＲのアップリンク伝送は、ＬＴＥアップリンクキャリア（またはアップリンクキャリアの一部）を用いることにより実施される。
【０１３５】
ＮＲとＬＴＥとでＬＴＥアップリンクキャリアを共有し合うシナリオにおいて、それら２つのシステム間でのリソースの調整およびリソースの多重化を実現するよう、ＮＲおよびＬＴＥのサブキャリアは揃っている必要があり、隣接するサブキャリア間での干渉が回避または低減される。ＬＴＥのアップリンクサブキャリア分割方式は、絶対周波数に関するサブキャリア分割方式、またはＬＴＥのダウンリンクサブキャリア分割方式と比較し、サブキャリアの半分の周波数オフセットを有している。したがって、ＮＲのアップリンクサブキャリアマッピング方式も、ＬＴＥのアップリンクサブキャリアマッピング方式と整合している必要がある。代替的に、絶対周波数上でのサブキャリア分割方式またはＬＴＥのダウンリンクサブキャリア分割方式と比較し、ＮＲアップリンクサブキャリアは、サブキャリアの半分の周波数オフセットを有する必要がある。
【０１３６】
第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成す。具体的に、アップリンクキャリアは、周波数分割または初期セルアクセスの状況でダウンリンクキャリアと対を成す。
【０１３７】
図１１は、第２のマッピング方式の概略図である。図１１に示すように、ＵＬキャリア内のサブキャリアは、ＤＬキャリア内のサブキャリアと揃っている。ＵＬサブキャリアとＤＬサブキャリアとの間にサブキャリアオフセットが存在しないものとみなされてよい。第２のマッピング方式は、ＮＲとＬＴＥとでＬＴＥアップリンクキャリアを共有し合わないシナリオ、すなわち、ＮＲが独立して処理を行うシナリオに適用されてよく、または、フレキシブル複信技術がＮＲシステムにおいて用いられるシナリオに適用されてよい。この状況では、図１１において、ＤＬがＮＲダウンリンクキャリアであってよく、ＵＬがＮＲアップリンクキャリアであってよい。フレキシブル複信が意味するのは、アップリンク信号がＮＲ  ＦＤＤ  ダウンリンクキャリア上の一部のサブフレームで送信され得、ダウンリンク信号がＮＲ  ＦＤＤアップリンクキャリア上の一部のサブフレームで送信され得るということである。この状況では、ダウンリンク送信は、隣接する基地局または隣接するセルにおけるアップリンク受信に干渉する。現在の解決手法には、干渉調整または干渉相殺が含まれる。どの解決手段であるかに関わらず、アップリンクおよびダウンリンクのサブキャリアは揃っている必要がある。加えて、ＬＴＥにおけるプライマリ展開が１５ＫＨｚのサブキャリア間隔である状況と比較し、ＮＲは、複数のタイプのサブキャリア間隔の展開をサポートする必要がある。例えば、１５ＫＨｚのサブキャリア間隔を用いてモバイルブロードバンドサービスをサポートし、６０ＫＨｚのサブキャリア間隔を用いて超高信頼性および低遅延のサービスをサポートする。ＮＲのアップリンクサブキャリアマッピング方式は絶対周波数に関するサブキャリア分割方式と整合している必要があり、またはＮＲのダウンリンクサブキャリアマッピング方式と整合している必要がある。利点は、異なるサブキャリア間隔毎に異なる周波数値のオフセットの必要がないということである。例えば、１５ＫＨｚのサブキャリア間隔のために、サブキャリアの半分７．５ＫＨｚのオフセットが必要であり、３０ＫＨｚのサブキャリア間隔のために、サブキャリアの半分１５ＫＨｚのオフセットが必要であり、６０ＫＨｚのサブキャリア間隔のために、サブキャリアの半分３０ＫＨｚのオフセットが必要である。
【０１３８】
さらに、アップリンクサブキャリアマッピング方式を決定する場合、基地局は、規格における事前に定められたアップリンクサブキャリアマッピング方式に基づきアップリンクサブキャリアマッピング方式を決定してよく、または、内部アルゴリズムに基づきアップリンクサブキャリアマッピング方式を決定してよい。例えば、基地局は、周波数帯域とアップリンクサブキャリアマッピング方式との間の対応関係に基づきアップリンクサブキャリアマッピング方式を決定する。ある実装では、低周波数帯域（例えば８００ＭＨｚの周波数範囲）が第１のマッピング方式に対応し、高周波数帯域（例えば３．５ＧＨｚの周波数範囲）が、第２のマッピング方式に対応する。この状況では、基地局は、通信のための実際の周波数帯域に基づきアップリンクサブキャリアマッピング方式を決定してよい。
【０１３９】
オプションで、第１のマッピング方式に対応するアップリンクサブキャリアの境界と絶対周波数上のサブキャリア分割点との間にサブキャリアの半分の周波数オフセットが存在し、第２のマッピング方式に対応するアップリンクサブキャリアの境界は、絶対周波数上のサブキャリア分割点と揃っている。図１２は、第１のマッピング方式および第２のマッピング方式の概略図である。図１２に示すように、周波数ドメインのサブキャリア間にサブキャリア分割点が存在し、絶対周波数上のサブキャリア分割点と呼ばれてよい。分割点は、周波数ドメインのいくつかの固定された周波数とみなされてよい。第１のマッピング方式に対応するサブキャリアの境界と分割点との間にサブキャリアの半分の周波数オフセット（または（Ｎ＋１／２）個のサブキャリアの周波数オフセットとみなされてよい。ここでＮは整数である）が存在する。第２のマッピング方式に対応するサブキャリアは、分割点と揃っている。
【０１４０】
段階９０２：基地局が、アップリンクサブキャリアマッピング方式に基づきアップリンク信号を受信する。
【０１４１】
オプションで、アップリンクサブキャリアマッピング方式が第１のマッピング方式である場合、アップリンク信号は：
【数４９】
0006904512.tif 000059
であり、
式中、
【数５０】
0006904512.tif 000060
であり、
【数５１】
0006904512.tif 000061
であり、
【数５２】
0006904512.tif 000062
は、（例えば２０４８、４０９６、または別の値に等しい）ＩＦＦＴポイントの数であり、
【数５３】
0006904512.tif 000063
は、ＵＥの現在のアップリンク信号が占有する周波数ドメインサブキャリアの数であり、
【数５４】
0006904512.tif 000064
は（例えば１５ＫＨｚまたは３０ＫＨｚに等しい）サブキャリア間隔であり、
【数５５】
0006904512.tif 000065
は時間−周波数リソース要素の信号値を表し、
【数５６】
0006904512.tif 000066
は周波数ドメインサブキャリアインデックスを表し、
【数５７】
0006904512.tif 000067
は時間ドメインシンボルインデックスを表し、
【数５８】
0006904512.tif 000068
はシンボル
【数５９】
0006904512.tif 000069
の巡回プレフィックス（ｃｙｃｌｉｃ  ｐｒｅｆｉｘ，ＣＰ）長を表し、
【数６０】
0006904512.tif 000070
は時間ドメインサンプリングポイント長を表す。アップリンク信号を生成するＩＦＦＴ処理を実施した場合、アップリンクサブキャリア分割方式が、サブキャリア分割方式またはダウンリンクサブキャリアマッピング方式と比較してサブキャリアの半分の周波数オフセットを有することを把握出来る。
【０１４２】
オプションで、アップリンクサブキャリアマッピング方式が第２のマッピング方式である場合、アップリンク信号は：
【数６１】
0006904512.tif 000071
であり、
式中、
【数６２】
0006904512.tif 000072
であり、
【数６３】
0006904512.tif 000073
であり、
【数６４】
0006904512.tif 000074
は、（例えば２０４８、４０９６、または別の値に等しい）ＩＦＦＴポイントの数であり、
【数６５】
0006904512.tif 000075
は、ＵＥの現在のアップリンク信号が占有する周波数ドメインサブキャリアの数であり、
【数６６】
0006904512.tif 000076
は（例えば１５ＫＨｚまたは３０ＫＨｚに等しい）サブキャリア間隔であり、
【数６７】
0006904512.tif 000077
は時間−周波数リソース要素の信号値を表し、
【数６８】
0006904512.tif 000078
は周波数ドメインサブキャリアインデックスを表し、
【数６９】
0006904512.tif 000079
は時間ドメインシンボルインデックスを表し、
【数７０】
0006904512.tif 000080
はシンボル
【数７１】
0006904512.tif 000081
の巡回プレフィックス（ｃｙｃｌｉｃ  ｐｒｅｆｉｘ，ＣＰ）長を表し、
【数７２】
0006904512.tif 000082
は時間ドメインサンプリングポイント長を表す。アップリンク信号を生成するＩＦＦＴ処理が実施される場合、アップリンクサブキャリアとダウンリンクサブキャリアとがサブキャリア周波数分割の状況では揃っていること、またはアップリンクサブキャリアが、サブキャリア分割方式においてサブキャリア周波数境界と揃っていることを把握出来る。
【０１４３】
当該方法によると、サブキャリアマッピング方式を種々のシナリオ、例えば、ＮＲシステムとＬＴＥとでアップリンクキャリアを共有し合うシナリオ、ＮＲシステムとＬＴＥとでアップリンクキャリアを共有し合わない、またはフレキシブル複信がＮＲシステムにおいて用いられるシナリオ、に適合させることが出来、これによりサブキャリア間干渉の問題を解決することが出来る。
【０１４４】
図１３は、アップリンク信号を送信するための方法の概略フローチャートである。図１３に示すように、本願の実施形態はさらに、アップリンク信号を送信するための方法を提供し、当該方法は以下の段階を含む。
【０１４５】
段階１３０１：端末が、アップリンクサブキャリアマッピング方式を決定する。ここで、アップリンクサブキャリアマッピング方式は第１のマッピング方式および第２のマッピング方式を含む。
【０１４６】
第１のマッピング方式に対応するアップリンクサブキャリアとダウンリンクサブキャリアとの間にサブキャリアの半分の周波数ドメインオフセットが存在し、ダウンリンクサブキャリアを含むダウンリンクキャリアは、アップリンクサブキャリアを含むアップリンクキャリアと対を成す。具体的に、アップリンクキャリアは、周波数分割または初期セルアクセスの状況でダウンリンクキャリアと対を成す。
【０１４７】
図１０は、第１のマッピング方式の概略図である。図１０に示すように、ＵＬキャリア内のサブキャリアはどれも、ＤＬキャリア内のサブキャリアと揃っていない。ＵＬサブキャリアとＤＬサブキャリアとの間にサブキャリアの半分のオフセットが存在するものとみなされてよい。第１のマッピング方式は、ＮＲとＬＴＥとでＬＴＥアップリンクキャリアを共有し合うシナリオに適用されてよい。この状況では、図１０において、ＤＬがＬＴＥダウンリンクキャリアであってよく、ＵＬがＮＲアップリンクキャリアであってよい。例えば、低周波数帯域（例えば８００ＭＨｚの周波数範囲）上にＬＴＥ  ＦＤＤのアップリンクキャリアとダウンリンクキャリアとのペアがあり、ＮＲダウンリンクキャリアまたはＮＲ  ＴＤＤシステムが、高周波数帯域（例えば３．５ＧＨｚ、またさらには数十ＧＨｚの周波数範囲）上で展開される。ＮＲ基地局は、ダウンリンクカバレッジを向上させるよう、高周波数が引き起こす経路損失を低減すべく高周波数帯域上で大規模アンテナアレイのビームフォーミング技術を用いてよい。しかしながら、端末は概して、サイズ上の制約が故に全方向性アンテナを用いる。この状況では、端末のアップリンク送信の間に高周波数帯域上でのカバレッジの問題がある。したがって、高周波数帯域上で展開されるＮＲダウンリンクキャリア、および低周波数帯域上のＬＴＥアップリンクキャリアは、ＮＲ端末に対応すべく協働で処理を行ってよい。この状況では、このことは、ＮＲとＬＴＥとでＬＴＥアップリンクキャリアを共有することと同等である。言い換えると、ＮＲのアップリンク伝送は、ＬＴＥアップリンクキャリア（またはアップリンクキャリアの一部）を用いることにより実施される。
【０１４８】
ＮＲとＬＴＥとでＬＴＥアップリンクキャリアを共有し合うシナリオにおいて、それら２つのシステム間でのリソースの調整およびリソースの多重化を実現するよう、ＮＲおよびＬＴＥのサブキャリアは揃っている必要があり、隣接するサブキャリア間での干渉が回避または低減される。ＬＴＥのアップリンクサブキャリアは、絶対周波数に関するサブキャリア分割方式、またはＬＴＥのダウンリンクサブキャリア分割方式と比較し、サブキャリアの半分の周波数オフセットを有している。したがって、ＮＲのアップリンクサブキャリアマッピング方式も、ＬＴＥのアップリンクサブキャリアマッピング方式と整合している必要がある。代替的に、絶対周波数上でのサブキャリア分割方式またはＬＴＥのダウンリンクサブキャリア分割方式と比較し、ＮＲアップリンクサブキャリアは、サブキャリアの半分の周波数オフセットを有する必要がある。
【０１４９】
第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成す。具体的に、アップリンクキャリアは、周波数分割または初期セルアクセスの状況でダウンリンクキャリアと対を成す。
【０１５０】
図１１は、第２のマッピング方式の概略図である。図１１に示すように、ＵＬキャリア内のサブキャリアは、ＤＬキャリア内のサブキャリアと揃っている。ＵＬサブキャリアとＤＬサブキャリアとの間にサブキャリアオフセットが存在しないものとみなされてよい。第２のマッピング方式は、ＮＲとＬＴＥとでＬＴＥアップリンクキャリアを共有し合わないシナリオ、すなわち、ＮＲが独立して処理を行うシナリオに適用されてよく、または、フレキシブル複信技術がＮＲシステムにおいて用いられるシナリオに適用されてよい。この状況では、図１１において、ＤＬがＮＲダウンリンクキャリアであってよく、ＵＬがＮＲアップリンクキャリアであってよい。フレキシブル複信が意味するのは、アップリンク信号がＮＲ  ＦＤＤ  ダウンリンクキャリア上の一部のサブフレームで送信され得、ダウンリンク信号がＮＲ  ＦＤＤアップリンクキャリア上の一部のサブフレームで送信され得るということである。この状況では、ダウンリンク送信は、隣接する基地局または隣接するセルにおけるアップリンク受信に干渉する。現在の解決手法には、干渉調整または干渉相殺が含まれる。どの解決手段であるかに関わらず、アップリンクおよびダウンリンクのサブキャリアは揃っている必要がある。加えて、ＬＴＥにおけるプライマリ展開が１５ＫＨｚのサブキャリア間隔である状況と比較し、ＮＲは、複数のタイプのサブキャリア間隔の展開をサポートする必要がある。例えば、１５ＫＨｚのサブキャリア間隔を用いてモバイルブロードバンドサービスをサポートし、６０ＫＨｚのサブキャリア間隔を用いて超高信頼性および低遅延のサービスをサポートする。ＮＲのアップリンクサブキャリアマッピング方式は絶対周波数に関するサブキャリア分割方式と整合している必要があり、またはＮＲのダウンリンクサブキャリアマッピング方式と整合している必要がある。利点は、異なるサブキャリア間隔毎に異なる周波数値のオフセットの必要がないということである。例えば、１５ＫＨｚのサブキャリア間隔のために、サブキャリアの半分７．５ＫＨｚのオフセットが必要であり、３０ＫＨｚのサブキャリア間隔のために、サブキャリアの半分１５ＫＨｚのオフセットが必要であり、６０ＫＨｚのサブキャリア間隔のために、サブキャリアの半分３０ＫＨｚのオフセットが必要である。
【０１５１】
さらに、アップリンクサブキャリアマッピング方式を決定する場合、端末は、規格における事前に定められたアップリンクサブキャリアマッピング方式に基づきアップリンクサブキャリアマッピング方式を決定してよく、または、内部アルゴリズムに基づきアップリンクサブキャリアマッピング方式を決定してよい。例えば、端末は、周波数帯域とアップリンクサブキャリアマッピング方式との間の対応関係に基づきアップリンクサブキャリアマッピング方式を決定する。ある実装では、低周波数帯域（例えば８００ＭＨｚの周波数範囲）が第１のマッピング方式に対応し、高周波数帯域（例えば３．５ＧＨｚの周波数範囲）が、第２のマッピング方式に対応する。この状況では、端末は、通信のための実際の周波数帯域に基づきアップリンクサブキャリアマッピング方式を決定してよい。代替的に、端末は、基地局が送信した構成情報を受信することによりアップリンクサブキャリアマッピング方式を決定してよい。構成情報は端末に対し、第１のマッピング方式または第２のマッピング方式を用いるよう指示する。
【０１５２】
オプションで、第１のマッピング方式に対応するアップリンクサブキャリアの境界と絶対周波数上のサブキャリア分割点との間にサブキャリアの半分の周波数オフセットが存在し、第２のマッピング方式に対応するアップリンクサブキャリアの境界は、絶対周波数上のサブキャリア分割点と揃っている。図１２は、第１のマッピング方式および第２のマッピング方式の概略図である。図１２に示すように、周波数ドメインのサブキャリア間にサブキャリア分割点が存在し、絶対周波数上のサブキャリア分割点と呼ばれてよい。分割点は、周波数ドメインのいくつかの固定された周波数とみなされてよい。第１のマッピング方式に対応するサブキャリアの境界と分割点との間にサブキャリアの半分の周波数オフセット（または（Ｎ＋１／２）個のサブキャリアの周波数オフセットとみなされてよい。ここでＮは整数である）が存在する。第２のマッピング方式に対応するサブキャリアは、分割点と揃っている。
【０１５３】
段階１３０２：端末が、アップリンクサブキャリアマッピング方式に基づきアップリンク信号を送信する。
【０１５４】
オプションで、アップリンクサブキャリアマッピング方式が第１のマッピング方式である場合、アップリンク信号は：
【数７３】
0006904512.tif 000083
であり、
式中、
【数７４】
0006904512.tif 000084
であり、
【数７５】
0006904512.tif 000085
であり、
【数７６】
0006904512.tif 000086
は、（例えば２０４８、４０９６、または別の値に等しい）ＩＦＦＴポイントの数であり、
【数７７】
0006904512.tif 000087
は、ＵＥの現在のアップリンク信号が占有する周波数ドメインサブキャリアの数であり、
【数７８】
0006904512.tif 000088
は（例えば１５ＫＨｚまたは３０ＫＨｚに等しい）サブキャリア間隔であり、
【数７９】
0006904512.tif 000089
は時間−周波数リソース要素の信号値を表し、
【数８０】
0006904512.tif 000090
は周波数ドメインサブキャリアインデックスを表し、
【数８１】
0006904512.tif 000091
は時間ドメインシンボルインデックスを表し、
【数８２】
0006904512.tif 000092
はシンボル
【数８３】
0006904512.tif 000093
の巡回プレフィックス（ｃｙｃｌｉｃ  ｐｒｅｆｉｘ，ＣＰ）長を表し、
【数８４】
0006904512.tif 000094
は時間ドメインサンプリングポイント長を表す。アップリンク信号を生成するＩＦＦＴ処理を実施した場合、アップリンクサブキャリア分割方式が、サブキャリア周波数分割方式またはダウンリンクサブキャリアマッピング方式と比較してサブキャリアの半分の周波数オフセットを有することを把握出来る。
【０１５５】
オプションで、アップリンクサブキャリアマッピング方式が第２のマッピング方式である場合、アップリンク信号は：
【数８５】
0006904512.tif 000095
であり、
式中、
【数８６】
0006904512.tif 000096
であり、
【数８７】
0006904512.tif 000097
であり、
【数８８】
0006904512.tif 000098
は、（例えば２０４８、４０９６、または別の値に等しい）ＩＦＦＴポイントの数であり、
【数８９】
0006904512.tif 000099
は、ＵＥの現在のアップリンク信号が占有する周波数ドメインサブキャリアの数であり、
【数９０】
0006904512.tif 000100
は（例えば１５ＫＨｚまたは３０ＫＨｚに等しい）サブキャリア間隔であり、
【数９１】
0006904512.tif 000101
は時間−周波数リソース要素の信号値を表し、
【数９２】
0006904512.tif 000102
は周波数ドメインサブキャリアインデックスを表し、
【数９３】
0006904512.tif 000103
は時間ドメインシンボルインデックスを表し、
【数９４】
0006904512.tif 000104
はシンボル
【数９５】
0006904512.tif 000105
の巡回プレフィックス（ｃｙｃｌｉｃ  ｐｒｅｆｉｘ，ＣＰ）長を表し、
【数９６】
0006904512.tif 000106
は時間ドメインサンプリングポイント長を表す。アップリンク信号を生成するＩＦＦＴ処理が実施される場合、アップリンクサブキャリアとダウンリンクサブキャリアとはサブキャリア周波数分割の状況では揃っていること、またはアップリンクサブキャリアが、サブキャリア分割方式においてサブキャリア周波数境界と揃っていることを把握出来る。
【０１５６】
当該方法によると、サブキャリアマッピング方式を種々のシナリオ、例えば、ＮＲシステムとＬＴＥとでアップリンクキャリアを共有し合うシナリオ、ＮＲシステムとＬＴＥとでアップリンクキャリアを共有し合わない、またはフレキシブル複信がＮＲシステムにおいて用いられるシナリオ、に適合させることが出来、これによりサブキャリア間干渉の問題を解決することが出来る。
【０１５７】
本願の実施形態が提供するのは、アップリンクサブキャリアマッピング方式を決定するよう構成された決定モジュールであって、アップリンクサブキャリアマッピング方式は第１のマッピング方式および第２のマッピング方式を含み、第１のマッピング方式に対応するアップリンクサブキャリアとダウンリンクサブキャリアとの間にサブキャリアの半分の周波数ドメインオフセットが存在し、第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成している、決定モジュールと、アップリンクサブキャリアマッピング方式に基づきアップリンク信号を受信するよう構成された受信モジュールと含む基地局である。
【０１５８】
アップリンクサブキャリアマッピング方式が第１のマッピング方式である場合、アップリンク信号は：
【数９７】
0006904512.tif 000107
であり、
式中、
【数９８】
0006904512.tif 000108
であり、
【数９９】
0006904512.tif 000109
であり、
【数１００】
0006904512.tif 000110
はＩＦＦＴポイントの数であり、
【数１０１】
0006904512.tif 000111
は、ＵＥの現在のアップリンク信号が占有する周波数ドメインサブキャリアの数であり、
【数１０２】
0006904512.tif 000112
はサブキャリア間隔であり、
【数１０３】
0006904512.tif 000113
は時間−周波数リソース要素の信号値を表し、
【数１０４】
0006904512.tif 000114
は周波数ドメインサブキャリアインデックスを表し、
【数１０５】
0006904512.tif 000115
は時間ドメインシンボルインデックスを表し、
【数１０６】
0006904512.tif 000116
はシンボル
【数１０７】
0006904512.tif 000117
の巡回プレフィックス長を表し、
【数１０８】
0006904512.tif 000118
は時間ドメインサンプリングポイント長を表す。
【０１５９】
代替的に、アップリンクサブキャリアマッピング方式が第２のマッピング方式である場合、アップリンク信号は：
【数１０９】
0006904512.tif 000119
であり、
式中、
【数１１０】
0006904512.tif 000120
であり、
【数１１１】
0006904512.tif 000121
であり、
【数１１２】
0006904512.tif 000122
はＩＦＦＴポイントの数であり、
【数１１３】
0006904512.tif 000123
は、ＵＥの現在のアップリンク信号が占有する周波数ドメインサブキャリアの数であり、
【数１１４】
0006904512.tif 000124
はサブキャリア間隔であり、
【数１１５】
0006904512.tif 000125
は時間−周波数リソース要素の信号値を表し、
【数１１６】
0006904512.tif 000126
は周波数ドメインサブキャリアインデックスを表し、
【数１１７】
0006904512.tif 000127
は時間ドメインシンボルインデックスを表し、
【数１１８】
0006904512.tif 000128
はシンボル
【数１１９】
0006904512.tif 000129
の巡回プレフィックス長を表し、
【数１２０】
0006904512.tif 000130
は時間ドメインサンプリングポイント長を表す。
【０１６０】
本願の実施形態が提供するのは、アップリンクサブキャリアマッピング方式を決定するよう構成された決定モジュールであって、アップリンクサブキャリアマッピング方式は第１のマッピング方式および第２のマッピング方式を含み、第１のマッピング方式に対応するアップリンクサブキャリアとダウンリンクサブキャリアとの間にサブキャリアの半分の周波数ドメインオフセットが存在し、第２のマッピング方式に対応するアップリンクサブキャリアおよびダウンリンクサブキャリアは、周波数ドメインで揃っており、ダウンリンクサブキャリアを含むダウンリンクキャリアは、アップリンクサブキャリアを含むアップリンクキャリアと対を成している、決定モジュールと、アップリンクサブキャリアマッピング方式に基づきアップリンク信号を送信するよう構成された送信モジュールと含む端末である。
【０１６１】
アップリンクサブキャリアマッピング方式が第１のマッピング方式である場合、アップリンク信号は：
【数１２１】
0006904512.tif 000131
であり、
式中、
【数１２２】
0006904512.tif 000132
であり、
【数１２３】
0006904512.tif 000133
であり、
【数１２４】
0006904512.tif 000134
はＩＦＦＴポイントの数であり、
【数１２５】
0006904512.tif 000135
は、ＵＥの現在のアップリンク信号が占有する周波数ドメインサブキャリアの数であり、
【数１２６】
0006904512.tif 000136
はサブキャリア間隔であり、
【数１２７】
0006904512.tif 000137
は時間−周波数リソース要素の信号値を表し、
【数１２８】
0006904512.tif 000138
は周波数ドメインサブキャリアインデックスを表し、
【数１２９】
0006904512.tif 000139
は時間ドメインシンボルインデックスを表し、
【数１３０】
0006904512.tif 000140
はシンボル
【数１３１】
0006904512.tif 000141
の巡回プレフィックス長を表し、
【数１３２】
0006904512.tif 000142
は時間ドメインサンプリングポイント長を表す。
【０１６２】
代替的に、アップリンクサブキャリアマッピング方式が第２のマッピング方式である場合、アップリンク信号は：
【数１３３】
0006904512.tif 000143
であり、
式中、
【数１３４】
0006904512.tif 000144
であり、
【数１３５】
0006904512.tif 000145
であり、
【数１３６】
0006904512.tif 000146
はＩＦＦＴポイントの数であり、
【数１３７】
0006904512.tif 000147
は、ＵＥの現在のアップリンク信号が占有する周波数ドメインサブキャリアの数であり、
【数１３８】
0006904512.tif 000148
はサブキャリア間隔であり、
【数１３９】
0006904512.tif 000149
は時間−周波数リソース要素の信号値を表し、
【数１４０】
0006904512.tif 000150
は周波数ドメインサブキャリアインデックスを表し、
【数１４１】
0006904512.tif 000151
は時間ドメインシンボルインデックスを表し、
【数１４２】
0006904512.tif 000152
はシンボル
【数１４３】
0006904512.tif 000153
の巡回プレフィックス長を表し、
【数１４４】
0006904512.tif 000154
は時間ドメインサンプリングポイント長を表す。
【０１６３】
本願で開示される内容を参照し説明されている方法またはアルゴリズムの段階はハードウェアにより実現されてよく、または、プロセッサによってソフトウェア命令を実行することにより実現されてよい。ソフトウェア命令は対応するソフトウェアモジュールを含んでよい。ソフトウェアモジュールは、ＲＡＭ、フラッシュ、ＲＯＭ、ＥＰＲＯＭ、ＥＥＰＲＯＭ、レジスタ、ハードディスク、リムーバブルハードディスク、ＣＤ−ＲＯＭ、または当技術分野で公知の任意の他の形態の記憶媒体に記憶されてよい。例えば、プロセッサが記憶媒体から情報を読み取ることが出来るように、または情報を記憶媒体に書き込むことが出来るように記憶媒体がプロセッサに結合される。もちろん、その記憶媒体はプロセッサのコンポーネントであってよい。それらプロセッサおよび記憶媒体は、ＡＳＩＣ内に位置してよい。加えて、そのＡＳＩＣは、ユーザ機器内に位置してよい。もちろん、それらプロセッサおよび記憶媒体は、ディスクリートコンポーネントとしてそのユーザ機器内に存在してよい。
【０１６４】
上述の実施形態は全て、または部分的に、ソフトウェア、ハードウェア、ファームウェア、またはそれらの任意の組み合わせを用いることにより実現されてよい。実施形態を実現するのにソフトウェアが用いられる場合、それら実施形態は全て、または部分的に、コンピュータプログラムプロダクトの形態で実現されてよい。コンピュータプログラムプロダクトは、１または複数のコンピュータ命令を含む。コンピュータプログラム命令がコンピュータ上でロードされ実行された場合、本願の実施形態に係る手順または機能が全て、または部分的に生成される。コンピュータは、汎用コンピュータ、専用コンピュータ、コンピュータネットワーク、または他のプログラマブル装置であってよい。コンピュータ命令はコンピュータ可読記憶媒体に記憶されてよく、または、あるコンピュータ可読記憶媒体から別のコンピュータ可読記憶媒体へ伝送されてよい。例えば、コンピュータ命令は、ウェブサイト、コンピュータ、サーバ、またはデータセンターから、別のウェブサイト、コンピュータ、サーバ、またはデータセンターへ、有線（例えば同軸ケーブル、光ファイバ、またはデジタル加入者線（ＤＳＬ））方式で、または無線（例えば赤外線、電波、またはマイクロ波）方式で伝送されてよい。コンピュータ可読記憶媒体は、コンピュータがアクセス可能な任意の使用可能な媒体であってよく、または１または複数の使用可能な媒体を組み込んだサーバ若しくはデータセンターなどのデータ記憶デバイスであってよい。
【０１６５】
使用可能な媒体は、磁気媒体（例えばフロッピーディスク、ハードディスク、または磁気テープ）、光媒体（例えばＤＶＤ）、半導体媒体（例えば固体ディスクＳｏｌｉｄ  Ｓｔａｔｅ  Ｄｉｓｋ（ＳＳＤ））、または同様のものであってよい。
【０１６６】
本明細書において「および／または」という用語は、対応付けられた対象物を説明するための対応関係のみを説明しており、３つの関係が存在してよいことを表している。例えば、Ａおよび／またはＢとは、以下の３つの状況を表してよい：Ａのみ存在する、ＡおよびＢの両方が存在する、Ｂのみ存在する。加えて、本明細書における「／」という記号は概して、対応付けられた対象物間の「または」という関係を示す。
【０１６７】
本明細書で開示される実施形態を参照し説明されている例におけるユニットおよびアルゴリズムの段階は、電子ハードウェア、またはコンピュータソフトウェアと電子ハードウェアとの組み合わせで実現されてよいことを当業者は認識してよい。それら機能がハードウェアにより実施されるか、またはソフトウェアにより実施されるかは、技術的解決法の具体的な応用および設計上の制約次第である。各具体的な応用に関して、説明された機能を実現すべく種々の方法を当業者が用いてよく、その実装が本願の範囲を越えるものとみなされるべきではない。
【０１６８】
便利かつ簡潔である説明を目的とし、上述のシステム、装置、およびユニットの詳細な作動プロセスに関しては、上述の方法の実施形態における対応するプロセスを参照されたいことが当業者には明らかに理解されてよい。詳細については本明細書で改めて説明しない。
【０１６９】
上述の説明は本願の具体的な実装に過ぎず、本願の保護範囲を限定することは意図されていない。本願で開示される技術的範囲内で当業者が容易に理解するいずれの変更または置き換えも、本願の保護範囲に含まれるものとする。したがって、本願の保護範囲は、請求項の保護範囲の対象になるものとする。
【図１】
0006904512.tif 000155
【図２】
0006904512.tif 000156
【図３】
0006904512.tif 000157
【図４】
0006904512.tif 000158
【図５】
0006904512.tif 000159
【図６】
0006904512.tif 000160
【図７】
0006904512.tif 000161
【図８】
0006904512.tif 000162
【図９】
0006904512.tif 000163
【図１０】
0006904512.tif 000164
【図１１】
0006904512.tif 000165
【図１２】
0006904512.tif 000166
【図１３】
0006904512.tif 000167